(57)【要約】【課題】現存樋に於ける雨水排水処理時、木の葉及び塵埃等に因る堆積物雨水排水障害を除去し、排水障害による躯体への雨水浸入による躯体及び躯体造作材類の陳腐化を回避し、雨水循環システムを回復促進し、木の葉及び塵埃堆積防止網設置費用、耐積雪対策等に掛かる樋工事費及び破損交換作業費を低減する事が必要である。【解決手段】不等辺の鈍角「く」型形状の雨滴砕水噴霧化板１６を建物と平行に複数配し、先端側を建物側より微小角下げた状態にし、屋根勾配対応可能な雨滴砕水噴霧化板固持金物を使用し、雨滴砕水噴霧式開放樋システムを提供する。【選択図】  図１
2007303089.tif 000002
【特許請求の範囲】
【請求項１】
不等辺の鈍角を有する縦辺と斜辺から成る「へ」型に形状成型し運搬可能で作業性に適した長・短尺材及び端部に雨滴砕水噴霧化板集合端部固定板９０度２７、雨滴砕水噴霧化板集合端部固定板４５度２８を付属可能な雨滴砕水噴霧化板１６を  斜辺の長さより狭い水平間隔で建物と平行に、且つ雛壇状に前後材に垂直段差を設け、全体に建物側より外側へ前傾するよう複数配列し、通常建築に採用されている屋根材及び屋根勾配に因り変化する雨水屋根飛出部落水概要線、雨水唐草下部落水概要線、雨水飛出概要線に対応捕水し、雨滴を砕水噴霧化霧散滴下し、木質系鼻隠し板、コンクリート系鼻隠し板、金属系鼻隠し板若しくは無機材で出来た同目的同等材、各種建築資材で具現化された躯体及び化粧垂木又は垂木相当構造体に適切な緊結金物を使用し固定固着可能な雨滴砕水噴霧化板固持Ａ１、Ａ２、Ａ３、Ａ４、Ａ５、Ａ６、Ｂ１、Ｂ２、Ｂ３、Ｃ１、Ｃ２、Ｃ３、Ｄ１、Ｄ２、Ｄ３式より適正な工法を取捨選択併用使用し、雨滴を砕水噴霧化霧散滴下することを特徴とする雨滴砕水噴霧式開放樋及び取付構造システム。
【請求項２】
雨滴砕水噴霧化板１６を1枚又は連結及び強度補完他の目的の為２枚重ねで固持する目的に対応した鋸刃形状及び鋸刃形状を特徴とした雨滴砕水噴霧化板固持Ａ１（２）、Ｂ１、Ｃ１、Ｄ１式上材２９、雨滴砕水噴霧化板固持Ａ１、Ｂ１、Ｃ１、Ｄ１式下材３０、雨滴砕水噴霧化板固持Ａ３（４）、Ｂ２、Ｃ２、Ｄ２式上材３１、雨滴砕水噴霧化板固持Ａ３、Ｂ２、Ｃ２、Ｄ２式下材３２、雨滴砕水噴霧化板固持Ａ２式下材固定角度（１〜１０／１０）３３・３７・３５・３９、雨滴砕水噴霧化板固持Ａ６式ブラケット兼用下材固定角度（１〜１０／１０）４１〜４４、雨滴砕水噴霧化板固持Ａ５、Ｃ３、Ｄ３式下材５９、雨滴砕水噴霧化板固持Ａ４式下材固定角度（１〜１０／１０）６１・６３・６２、雨滴砕水噴霧化板固持Ｂ３式ブラケット兼用下材固定角度（１〜１０／１０）７０・７１、後付雨滴砕水噴霧化板固定金具Ｂ（上刃材刃８６、下刃材８７）、後付４５度雨滴砕水噴霧化板固定金具Ａ（上材９０、下材９１）、後付４５度雨滴砕水噴霧化板固定金具Ｂ（上材９４、下材９５）、後付雨滴砕水噴霧化板固定金具Ｄ（上材１０１、下材１０２）、後付雨滴砕水噴霧化板固定金具Ｅ（上材１０６、下材１０７）及び同目的相似形状を有する同目的形状材。
【請求項３】
位置確保捨て材Ａ７６類を内蔵した雨滴砕水噴霧化板固持Ａ１（２）、Ｂ１、Ｃ１、Ｄ１式上材２９、雨滴砕水噴霧化板固持Ａ１、Ｂ１、Ｃ１、Ｄ１式下材３０他同目的加工材を使用する事により、雨滴砕水噴霧化板１６自由状態単独材又は雨滴砕水噴霧化板１６端部に雨滴砕水噴霧化板集合端部固定板９０度２７、雨滴砕水噴霧化板集合端部固定板４５度２８を固着した雨滴砕水噴霧化板集合体端部の位置確保及び固定固持が可能となる特徴を持つ雨滴砕水噴霧化板固持金具類他同目的材と、弧状に加工されたガイド機能を発現する事に因り屋根勾配に関係無く、雨滴砕水噴霧化板１６他を目的位置角度に保持可能を特徴とする雨滴砕水噴霧化板固持Ａ１（３、５），Ｃ１（２、３）式自在角度対応（１／１０）ブラケット４８類他同目的材。
【請求項４】
大規模な雨滴砕水噴霧化対応、耐積雪対策に対応する目的に請求項１〜３及び融雪機能を付随し、雨滴砕水噴霧式開放樋システム及び雨滴砕水噴霧化板１６の同形相似形を上下方向に多層使用及び水平方向に複数配列使用又は混合使用した雨滴砕水噴霧式大規模開放樋システム及び耐積雪開放樋システム。
【発明の詳細な説明】
【技術分野】
【０００１】
本発明は、建築分野の軒樋に準じた軒先雨水排水処理擬似樋である。
【背景技術】
【０００２】
建物には雨水排水処理の為に、軒先部分に排水目的の溝又は樋を設置しているが、木の葉及び塵埃等に因る堆積物が排水の障害となり、排水の目的を完遂していないことが見られ、目標達成の為樋内へ木の葉及び塵埃等侵入防止策を多数考案使用し、又雪国では降雪時における樋内積雪及び木の葉及び塵埃等堆積物不撤去による排水不良が雨水浸入の原因となり、躯体内への浸水及び滞留が散見され、躯体及び造作材の陳腐化が顕著となっている。又、排水目的の溝又は樋への集中集水により雨水が地中に還元浸透すること無く、下水道又は河川に直接誘引排水処理される事となり、地表面吸水の機会を逸し地下水の枯渇、地下水の浄化不良、地下水位の低下、地球温暖化による砂漠化など地球環境悪化の遠因となっている。雨滴を砕き噴霧状態で循環を促す方式の開放された樋システムが存在しなかった。下記に例を記す。
【０００３】
実開平５−３２５５１は鼻隠し板の前面長手方向に沿うように、軒と平行に溝加工された半円状からなる係止帯板を釘着し、樋金具を屋根勾配に追従する位置角度に留めつける取付構造である。軒先の意匠が無粋になり、且つ溝加工間隔に左右され自由な軒樋位置角度を確保出来ず、又自然排水用樋水勾配を確保すると当該考案の半円状に左右され軒先と軒樋がテーパー状に位置する事となり、樋で受水できず雨滴状態で地表面へ落水することが発現する。
【０００４】
実開平６−２０６８８は鼻板に取着される固定部材の固定板に上下方向に弧状に形成された連結片に吊り具を任意位置で固定する構造である。自然排水用樋水勾配を確保すると当該考案の上下方向に弧状に形成された連結片に左右され軒先と軒樋がテーパー状に位置する事となり、樋で受水できず雨滴状態で地表面へ落水することが発現する。
【０００５】
実開平７−４０８６３は軒先構造及び屋根勾配に準じ一定の角度で製造される角度固定型の樋耳係止型吊り金具である。
【０００６】
特開平７−３１０４１１は鼻隠し板出入の不揃いに対応した樋の出入り調整に有効な考案である。しかし屋根勾配と鼻隠し板との構造及び角度に準じ多数の角度対応品が必要となる。
【０００７】
特開平８−１３７２４は屋根勾配と鼻隠し板との構造及び角度に対応可能な且つ鼻隠し板の出入の不揃いに対応し、樋の出入り調整に適した考案である。本案の趣旨とは乖離していて同意では無い。
【０００８】
特開平２０００−１７０３３５は軒先化粧板を設置する事により、屋根部の軒先を隠し且つ軒先方向への風力を分散し、軒樋の脱落回避を主目的としている。本案の趣旨とは乖離している。
【０００９】
特開平２０００−２４０２３３は閉塞軒樋の表面に滴下した余剰雨水による地上面に雨水の穴を掘って跡を残す、水溜まりを回避する為に考案されたものである。当該考案は集中集水した閉塞軒樋での排水が主目的であり、本案の趣旨とは正反対であり、微少な余剰雨水の為、雨水回収体及び雨水回収体固着部に木の葉屑を含む塵埃が考案者の目論見以上に付着滞留堆積する事は容易に想定できる。
【特許文献１】実開平５−３２５５１
【特許文献２】実開平６−２０６８８
【特許文献３】実開平７−４０８６３
【特許文献４】特開平７−３１０４１１
【特許文献５】特開平８−１３７２４
【特許文献６】特開平２０００−１７０３３５
【特許文献７】特開平２０００−２４０２３３
【発明の開示】
【発明が解決しようとする課題】
【００１０】
現存樋に於ける雨水排水処理時、木の葉及び塵埃等に因る堆積物雨水排水障害を除去し、排水障害による躯体内への雨水浸入による躯体及び躯体造作材類の陳腐化を回避し、雨水循環システムを回復促進し、木の葉及び塵埃堆積防止網設置費用、耐積雪対策等に掛かる樋工事費及び破損交換作業費を低減する事が必要である。
【課題を解決するための手段】
【００１１】
不等辺の鈍角「く」型形状の雨滴砕水噴霧化板１６を建物と平行に複数配し、先端側を建物側より微小角下げた状態にし、屋根勾配対応可能な雨滴砕水噴霧化板固持金物を使用し、雨滴砕水噴霧式開放樋システムを提供する。
【発明の効果】
【００１２】
不等辺の鈍角「く」型形状の雨滴砕水噴霧化板１６を建物と平行に複数配置し、雨滴砕水噴霧式開放樋システムＡ１（２、３、４、５、６）、Ｂ１（２、３）、Ｃ１（２、３）、Ｄ１（２、３）式より取捨選択使用する事により、通常採用される屋根勾配・工法に対応可能となり、雨滴捕捉率が格段に向上し、雨滴が雨滴砕水噴霧化板１６に当り、雨滴砕水噴霧化板１６相互間内で砕水・乱舞反射により噴霧化された微細雨滴となり地表面への「雨垂れ跡」等の形成が減り、建物への飛沫飛散影響が減少し建築物の陳腐化防止となり、雨水の地表面への浸透効果で雨水循環システムが回復発現し地球環境悪化を回避し、木の葉等が雨滴砕水噴霧式開放樋システム上に一時堆積したとしても、自然的陳腐により細粉化され雨滴砕水噴霧化板１６相互隙間より自然落下し、又、滞留中で在っても雨滴砕水噴霧化板１６相互隙間の下から上向きの風により自然に除去され、木の葉及び塵埃堆積防止網設置費用削減が計れ、雨滴砕水噴霧化板１６の同形相似形での大型化又は強力化、上下方向に多層及び水平方向に複数配列、融雪線機器類の付随化等により大規模屋根対応が可能となり、デザイン性向上、耐積雪対策樋工事費の低減、滞雪による「すが漏れ現象（軒先付近屋根接触部分が躯体・室内熱により融雪雨水化滞留し、躯体及び躯体造作材類（含む仕上げ材）が常時浸漬状態となり、室内へ漏水し、躯体及び躯体造作材類（（含む仕上げ材）が陳腐化する））」が回避可能となり躯体陳腐化防止及び樋破損交換作業費用を低減する事が出来る。
【発明を実施するための最良の形態】
【００１３】
本発明の好適な実施形態を実施例１６例の図面を参照して説明する。以下に記載される実施例は、本発明を説明するための例示であり、本発明をこれらの実施形態のみに限定するものではない。したがって、本発明はその要旨を逸脱しない限り、各種屋根素材（金属、窯業、木材他等）、各種屋根葺き工法等様々な形態で実施することができる。又、説明は重複説明を避ける為、各種屋根素材、各種屋根葺き工法、全屋根角度より、一部の屋根素材、屋根葺き工法、任意角度事象のみを抽出説明しているので、未掲載屋根素材、屋根葺き工法、屋根角度事象は準用適用するものとする。躯体固定用螺子釘７７類は使用場所目的に準じ適切な材質の選択、形状寸法部品へ読み替え、各図内部品形状、寸法、強度及び材質は使用環境場所に準じ適切な仕様に読み替え採用するものとする。
【実施例１】
【００１４】
金属屋根状態の鼻隠し板Ａ（勾配追従）６に雨滴砕水噴霧化板固持Ａ１（３、５），Ｃ１（２、３）式自在角度対応（１・４・７・１０／１０）ブラケットベースセット４７（４９、５１、５３）を躯体固定用螺子釘７７で固定した雨滴砕水噴霧化固持Ａ１式（１・４・７・１０／１０）である
【００１５】
図１は雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、雨滴砕水噴霧化板固持Ａ１（３、５），Ｃ１（２、３）式自在角度対応（１／１０）ブラケットベースセット４７に緊結ボルトナットセット７９で組み付けし、鼻隠し板Ａ（勾配追従）６に躯体固定用螺子釘７７で所定の高さに固定後、雨滴砕水噴霧化板１６と雨滴砕水噴霧化板固持Ａ１（２）、Ｂ１、Ｃ１、Ｄ１式上材２９を雨滴砕水噴霧化板固持Ａ１、Ｂ１、Ｃ１、Ｄ１式下材３０に乗せ、押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ａ１（３、５），Ｃ１（２、３）式自在角度対応（１／１０）ブラケット４８に弧状に加工されたガイドに沿い回転し任意希望位置で緊結ボルトナットセット７９を締めて固定する。
【００１６】
図２は雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、雨滴砕水噴霧化板固持Ａ１（３、５），Ｃ１（２、３）式自在角度対応（７／１０）ブラケットベースセット５１に緊結ボルトナットセット７９で組み付けし、鼻隠し板Ａ（勾配追従）６に躯体固定用螺子釘７７で所定の高さに固定後、雨滴砕水噴霧化板１６と雨滴砕水噴霧化板固持Ａ１（２）、Ｂ１、Ｃ１、Ｄ１式上材２９を雨滴砕水噴霧化板固持Ａ１、Ｂ１、Ｃ１、Ｄ１式下材３０に乗せ、押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ａ１（３、５），Ｃ１（２、３）式自在角度対応（７／１０）ブラケット５２に弧状に加工されたガイドに沿い回転し任意希望位置で緊結ボルトナットセット７９を締めて固定する。
【００１７】
図３は雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、雨滴砕水噴霧化板固持Ａ１（３、５），Ｃ１（２、３）式自在角度対応（１０／１０）ブラケットベースセット５３に緊結ボルトナットセット７９で組み付けし、鼻隠し板Ａ（勾配追従）６に躯体固定用螺子釘７７で所定の高さに固定後、雨滴砕水噴霧化板１６と雨滴砕水噴霧化板固持Ａ１（２）、Ｂ１、Ｃ１、Ｄ１式上材２９を雨滴砕水噴霧化板固持Ａ１、Ｂ１、Ｃ１、Ｄ１式下材３０に乗せ、押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ａ１（３、５），Ｃ１（２、３）式自在角度対応（１０／１０）ブラケット５４に弧状に加工されたガイドに沿い回転し任意希望位置で緊結ボルトナットセット７９を締めて固定する。
【００１８】
図４は雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、雨滴砕水噴霧化板固持Ａ１（３、５），Ｃ１（２、３）式自在角度対応（４／１０）ブラケットベースセット４９に緊結ボルトナットセット７９で組み付けし、鼻隠し板Ａ（勾配追従）６に躯体固定用螺子釘７７で所定の高さに固定後、雨滴砕水噴霧化板１６と雨滴砕水噴霧化板固持Ａ１（２）、Ｂ１、Ｃ１、Ｄ１式上材２９を雨滴砕水噴霧化板固持Ａ１、Ｂ１、Ｃ１、Ｄ１式下材３０に乗せ、押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ａ１（３、５），Ｃ１（２、３）式自在角度対応（４／１０）ブラケット５０に弧状に加工されたガイドに沿い回転し任意希望位置で緊結ボルトナットセット７９を締めて固定する。
【００１９】
図５は雨滴砕水噴霧化固持Ａ１式（１・４・７・１０／１０）概要図中・図４のＡ１−Ａ１矢視図及びＡ３−Ａ３矢視図である。Ａ１−Ａ１矢視図は雨滴砕水噴霧化板１６を配置した装着状態図であり、Ａ３−Ａ３矢視図は断面概要を表している。雨滴砕水噴霧化固持Ａ１式（１・４・７・１０／１０）概要図中・図１〜３は図５同様相似形での表現となる。
【００２０】
図６は雨滴砕水噴霧化固持Ａ１式（１・４・７・１０／１０）概要図中・図４のＡ２−Ａ２矢視図である。Ａ２−Ａ２矢視図は雨滴砕水噴霧化板１６の端部に雨滴砕水噴霧化板集合端部固定板９０度２７を固着した装着状態図である。雨滴砕水噴霧化板固持Ａ１（２）、Ｂ１、Ｃ１、Ｄ１式上材２９及び雨滴砕水噴霧化板固持Ａ１、Ｂ１、Ｃ１、Ｄ１式下材３０に内蔵している位置確保捨て材Ａ７６によって左右の雨滴砕水噴霧化板集合端部固定板９０度２７は一定距離を保っている。雨滴砕水噴霧化固持Ａ１式（１・４・７・１０／１０）概要図中・図１〜３は図６同様相似形で表現となる。
【００２１】
図７は雨滴砕水噴霧化固持Ａ１式（１・４・７・１０／１０）概要図中・図４のＡ４−Ａ４矢視図である。
雨滴砕水噴霧化板固持ベース板Ａ１（３、５）、Ｃ１（２、３）式用６０と雨滴砕水噴霧化板固持Ａ１（３、５）、Ｃ１（２、３）式自在角度（１〜１０／１０）対応軸受け材５５〜５８と雨滴砕水噴霧化板固持Ａ１（３、５），Ｃ１（２、３）式自在角度対応（１・４・７・１０／１０）ブラケット４８（５０、５２、５４）と雨滴砕水噴霧化板固持Ａ１、Ｃ１、Ｄ１式自在角度支持リブ４５の関係状態図である。雨滴砕水噴霧化固持Ａ１式（１・４・７・１０／１０）概要図中・図１〜３は図７同様相似形で表現となる。
【００２２】
図８は雨滴砕水噴霧化固持Ａ１式（１・４・７・１０／１０）概要図中・図１〜４の平面１概要図である。雨滴砕水噴霧化板１６の端部は自由状態で配置使用している状態で、雨滴砕水噴霧化板１６の強度アップ及び変形防止例として後付雨滴砕水噴霧化板固定金具Ａ８３と後付雨滴砕水噴霧化板固定金具Ｂ８４を必要に応じ配置した関係状態図である。実施時は積雪荷重及び雨滴砕水噴霧化板固持Ａ１（３、５），Ｃ１（２、３）式自在角度対応（１・４・７・１０／１０）ブラケットベースセット４７（４９、５１、５３）の配置状況により後付雨滴砕水噴霧化板固定金具Ａ８３と後付雨滴砕水噴霧化板固定金具Ｂ８４の適正配置を決定するものとする。
【００２３】
図９は雨滴砕水噴霧化固持Ａ１式（１・４・７・１０／１０）概要図中・図１〜４の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図である。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ａ１（３、５），Ｃ１（２、３）式自在角度対応（１・４・７・１０／１０）ブラケットベースセット４７（４９、５１、５３）の配置状況により後付雨滴砕水噴霧化板固定金具Ａ８３と後付雨滴砕水噴霧化板固定金具Ｂ８４の適正配置を決定するものとする。
【実施例２】
【００２４】
金属屋根状態の鼻隠し板Ａ（勾配追従）６に雨滴砕水噴霧化板固持Ａ２（４）式対応ブラケット固定角度（１・３・７・１０／１０）３４・３８・３６・４０を躯体固定用螺子釘７７で固定した雨滴砕水噴霧化固持Ａ２式（１・３・７・１０／１０）である
【００２５】
図１０は雨滴砕水噴霧化板固持Ａ２（４）式対応ブラケット固定角度（１／１０）３４に固定ナットＡ８０を内蔵した雨滴砕水噴霧化板固持Ａ２式下材固定角度（１／１０）３３を固着し、鼻隠し板Ａ（勾配追従）６に躯体固定用螺子釘７７で所定の高さに固定し、雨滴砕水噴霧化板１６と雨滴砕水噴霧化板固持Ａ１（２）、Ｂ１、Ｃ１、Ｄ１式上材２９を雨滴砕水噴霧化板固持Ａ２式下材固定角度（１／１０）３３に乗せ、押し螺子７８で雨滴砕水噴霧化板固持Ａ２式下材固定角度（１／１０）３３に挟み雨滴砕水噴霧化板固持Ａ２式下材固定角度（１／１０）３３に固定した図である。鼻隠し板Ａ（勾配追従）６の施工精度に左右され、微小角度調整は不可であるがシンプルなデザインで提供可能である。
【００２６】
図１１は雨滴砕水噴霧化板固持Ａ２（４）式対応ブラケット固定角度（７／１０）３６に固定ナットＡ８０を内蔵した雨滴砕水噴霧化板固持Ａ２式下材固定角度（７／１０）３５を固着し、鼻隠し板Ａ（勾配追従）６に躯体固定用螺子釘７７で所定の高さに固定し、雨滴砕水噴霧化板１６と雨滴砕水噴霧化板固持Ａ１（２）、Ｂ１、Ｃ１、Ｄ１式上材２９を雨滴砕水噴霧化板固持Ａ２式下材固定角度（７／１０）３５に乗せ、押し螺子７８で雨滴砕水噴霧化板固持Ａ２式下材固定角度（７／１０）３５に挟み雨滴砕水噴霧化板固持Ａ２式下材固定角度（７／１０）３５に固定した図である。鼻隠し板Ａ（勾配追従）６の施工精度に左右され、微小角度調整は不可であるがシンプルなデザインで提供可能である。
【００２７】
図１２は雨滴砕水噴霧化板固持Ａ２（４）式対応ブラケット固定角度（１０／１０）４０に固定ナットＡ８
０を内蔵した雨滴砕水噴霧化板固持Ａ２式下材固定角度（１０／１０）３９を固着し、鼻隠し板Ａ（勾配追従）６に躯体固定用螺子釘７７で所定の高さに固定し、雨滴砕水噴霧化板１６と雨滴砕水噴霧化板固持Ａ１（２）、Ｂ１、Ｃ１、Ｄ１式上材２９を雨滴砕水噴霧化板固持Ａ２式下材固定角度（１０／１０）３９に乗せ、押し螺子７８で雨滴砕水噴霧化板固持Ａ２式下材固定角度（１０／１０）３９に挟み雨滴砕水噴霧化板固持Ａ２式下材固定角度（１０／１０）３９に固定した図である。鼻隠し板Ａ（勾配追従）６の施工精度に左右され、微小角度調整は不可であるがシンプルなデザインで提供可能である。
【００２８】
図１３は雨滴砕水噴霧化板固持Ａ２（４）式対応ブラケット固定角度（３／１０）３８に固定ナットＡ８
０を内蔵した雨滴砕水噴霧化板固持Ａ２式下材固定角度（３／１０）３７を固着し、鼻隠し板Ａ（勾配追従）６に躯体固定用螺子釘７７で所定の高さに固定し、雨滴砕水噴霧化板１６と雨滴砕水噴霧化板固持Ａ１（２）、Ｂ１、Ｃ１、Ｄ１式上材２９を雨滴砕水噴霧化板固持Ａ２式下材固定角度（３／１０）３７に乗せ、押し螺子７８で雨滴砕水噴霧化板固持Ａ２式下材固定角度（３／１０）３７に挟み雨滴砕水噴霧化板固持Ａ２式下材固定角度（３／１０）３７に固定した図である。鼻隠し板Ａ（勾配追従）６の施工精度に左右され、微小角度調整は不可であるがシンプルなデザインで提供可能である。Ａ５−Ａ５矢視図は雨滴砕水噴霧化板１６を配置した装着状態図であり、Ａ７−Ａ７矢視図は断面概要を表している。Ａ６−Ａ６矢視図は雨滴砕水噴霧化板１６の端部に雨滴砕水噴霧化板集合端部固定板９０度２７を固着した装着状態図である。雨滴砕水噴霧化板固持Ａ１（２）、Ｂ１、Ｃ１、Ｄ１式上材２９及び雨滴砕水噴霧化板固持Ａ２式下材固定角度（１・３・７・１０／１０）３３・３７・３５・３９に内蔵している位置確保捨て材Ａ７６によって左右の雨滴砕水噴霧化板集合端部固定板９０度２７は一定距離を保っている。Ａ８−Ａ８矢視図は雨滴砕水噴霧化板固持Ａ２（４）式対応ブラケット固定角度（１・３・７・１０／１０）３４・３８・３６・４０に雨滴砕水噴霧化板固持Ａ２式下材固定角度（１・３・７・１０／１０）３３・３７・３５・３９を固着した装着状態図である。雨滴砕水噴霧化固持Ａ２式（１・３・７・１０／１０）概要図中・図１０〜１２はＡ５〜８−Ａ５〜８矢視図同様相似形で表現となる。
【００２９】
図１４は雨滴砕水噴霧化固持Ａ２式（１・３・７・１０／１０）概要図中・図１０〜１３の平面１概要図である。雨滴砕水噴霧化板１６の端部は自由状態で配置使用している状態で、雨滴砕水噴霧化板１６の強度アップ及び変形防止例として後付雨滴砕水噴霧化板固定金具Ａ８３と後付雨滴砕水噴霧化板固定金具Ｂ８４を必要に応じ配置した関係状態図である。実施時は積雪荷重及び雨滴砕水噴霧化板固持Ａ２（４）式対応ブラケット固定角度（１・３・７・１０／１０）３４・３８・３６・４０の配置状況により後付雨滴砕水噴霧化板固定金具Ａ８３と後付雨滴砕水噴霧化板固定金具Ｂ８４の適正配置を決定するものとする。
【００３０】
図１５は雨滴砕水噴霧化固持Ａ２式（１・３・７・１０／１０）概要図中・図１０〜１３の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図である。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ａ２（４）式対応ブラケット固定角度（１・３・７・１０／１０）３４・３８・３６・４０の配置状況により後付雨滴砕水噴霧化板固定金具Ａ８３と後付雨滴砕水噴霧化板固定金具Ｂ８４の適正配置を決定するものとする。
【実施例３】
【００３１】
金属屋根状態の鼻隠し板Ａ（勾配追従）６に雨滴砕水噴霧化板固持Ａ１（３、５），Ｃ１（２、３）式自在角度対応（１・４・７・１０／１０）ブラケットベースセット４７（４９、５１、５３）を躯体固定用螺子釘７７で固定した雨滴砕水噴霧化固持Ａ３式（１・４・７・１０／１０）である。
【００３２】
図１６は雨滴砕水噴霧化板固持Ａ３、Ｃ２、Ｄ２式自在角度支持リブ４６に固定ナットＢ８２を内蔵した雨
滴砕水噴霧化板固持Ａ３、Ｂ２、Ｃ２、Ｄ２式下材３２を固着し、雨滴砕水噴霧化板固持Ａ１（３、５），Ｃ１（２、３）式自在角度対応（１／１０）ブラケットベースセット４７に緊結ボルトナットセット７９で組み付けし、鼻隠し板Ａ（勾配追従））６に躯体固定用螺子釘７７で所定の高さに固定後、雨滴砕水噴霧化板１６と雨滴砕水噴霧化板固持Ａ３（４）、Ｂ２、Ｃ２、Ｄ２式上材３１を雨滴砕水噴霧化板固持Ａ３、Ｂ２、Ｃ２、Ｄ２式下材３２に乗せ、押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ａ１（３、５），Ｃ１（２、３）式自在角度対応（１／１０）ブラケット４８に弧状に加工されたガイドに沿い回転し任意希望位置で緊結ボルトナットセット７９を締めて固定する。
【００３３】
図１７は雨滴砕水噴霧化板固持Ａ３、Ｃ２、Ｄ２式自在角度支持リブ４６に固定ナットＢ８２を内蔵した雨
滴砕水噴霧化板固持Ａ３、Ｂ２、Ｃ２、Ｄ２式下材３２を固着し、雨滴砕水噴霧化板固持Ａ１（３、５），Ｃ１（２、３）式自在角度対応（７／１０）ブラケットベースセット５１に緊結ボルトナットセット７９で組み付けし、鼻隠し板Ａ（勾配追従）６に躯体固定用螺子釘７７で所定の高さに固定後、雨滴砕水噴霧化板１６と雨滴砕水噴霧化板固持Ａ３（４）、Ｂ２、Ｃ２、Ｄ２式上材３１を雨滴砕水噴霧化板固持Ａ３、Ｂ２、Ｃ２、Ｄ２式下材３２に乗せ、押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ａ１（３、５），Ｃ１（２、３）式自在角度対応（１・４・７・１０／１０）ブラケット５２に弧状に加工されたガイドに沿い回転し任意希望位置で緊結ボルトナットセット７９を締めて固定する。
【００３４】
図１８は雨滴砕水噴霧化板固持Ａ３、Ｃ２、Ｄ２式自在角度支持リブ４６に固定ナットＢ８２を内蔵した雨
滴砕水噴霧化板固持Ａ３、Ｂ２、Ｃ２、Ｄ２式下材３２を固着し、雨滴砕水噴霧化板固持Ａ１（３、５），Ｃ１（２、３）式自在角度対応（１０／１０）ブラケットベースセット５３に緊結ボルトナットセット７９で組み付けし、鼻隠し板Ａ（勾配追従））６に躯体固定用螺子釘７７で所定の高さに固定後、雨滴砕水噴霧化板１６と滴砕水噴霧化板固持Ａ３（４）、Ｂ２、Ｃ２、Ｄ２式上材３１を雨滴砕水噴霧化板固持Ａ３、Ｂ２、Ｃ２、Ｄ２式下材３２に乗せ、押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ａ１（３、５），Ｃ１（２、３）式自在角度対応（１０／１０）ブラケット５３に弧状に加工されたガイドに沿い回転し任意希望位置で緊結ボルトナットセット７９を締めて固定する。
【００３５】
図１９は雨滴砕水噴霧化板固持Ａ３、Ｃ２、Ｄ２式自在角度支持リブ４６に固定ナットＢ８２を内蔵した雨
滴砕水噴霧化板固持Ａ３、Ｂ２、Ｃ２、Ｄ２式下材３２を固着し、雨滴砕水噴霧化板固持Ａ１（３、５），Ｃ１（２、３）式自在角度対応（４／１０）ブラケットベースセット４９に緊結ボルトナットセット７９で組み付けし、鼻隠し板Ａ（勾配追従）６に躯体固定用螺子釘７７で所定の高さに固定後、雨滴砕水噴霧化板１６と滴砕水噴霧化板固持Ａ３（４）、Ｂ２、Ｃ２、Ｄ２式上材３１を雨滴砕水噴霧化板固持Ａ３、Ｂ２、Ｃ２、Ｄ２式下材３２に乗せ、押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ａ１（３、５），Ｃ１（２、３）式自在角度対応（４／１０）ブラケット５０に弧状に加工されたガイドに沿い回転し任意希望位置で緊結ボルトナットセット７９を締めて固定する。Ａ９−Ａ９矢視図は雨滴砕水噴霧化板１６の端部に雨滴砕水噴霧化板集合端部固定板９０度２７を固着した装着状態図であり、Ａ１０−Ａ１０矢視図は断面概要を表している。滴砕水噴霧化板固持Ａ３（４）、Ｂ２、Ｃ２、Ｄ２式上材３１及び雨滴砕水噴霧化板固持Ａ３、Ｂ２、Ｃ２、Ｄ２式下材３２に内蔵している位置確保捨て材Ａ７６によって左右の雨滴砕水噴霧化板集合端部固定板９０度２７は一定距離を保っている。Ａ１１−Ａ１１矢視図は雨滴砕水噴霧化板固持ベース板Ａ１（３、５）、Ｃ１（２、３）式用６０と雨滴砕水噴霧化板固持Ａ１（３、５）、Ｃ１（２、３）式自在角度（１〜１０／１０）対応軸受け材５５〜５８と雨滴砕水噴霧化板固持Ａ１（３、５），Ｃ１（２、３）式自在角度対応（１・４・７・１０／１０）ブラケット４８（５０、５２、５４）と雨滴砕水噴霧化板固持Ａ３、Ｃ２、Ｄ２式自在角度支持リブ４６の関係状態図である。雨滴砕水噴霧化固持Ａ３式（１・４・７・１０／１０）概要図中・図１６〜１８はＡ９〜１１−Ａ９〜１１矢視図同様相似形で表現となる。
【００３６】
図２０は雨滴砕水噴霧化固持Ａ３式（１・４・７・１０／１０）概要図中・図１６〜１９の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図である。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ａ１（３、５），Ｃ１（２、３）式自在角度対応（１・４・７・１０／１０）ブラケットベースセット４７（４９、５１、５３）の配置状況により後付雨滴砕水噴霧化板固定金具Ａ８３と後付雨滴砕水噴霧化板固定金具Ｂ８４の適正配置を決定するものとする。
【実施例４】
【００３７】
金属屋根状態の鼻隠し板Ａ（勾配追従）６に雨滴砕水噴霧化板固持Ａ２（４）式対応ブラケット固定角度（１・３・７・１０／１０）３４・３８・３６・４０を躯体固定用螺子釘７７で固定した雨滴砕水噴霧化固持Ａ４式（１・３・７・１０／１０）である
【００３８】
図２１は雨滴砕水噴霧化板固持Ａ２（４）式対応ブラケット固定角度（１／１０）３４に固定ナットＢ８２を内蔵した雨滴砕水噴霧化板固持Ａ４式下材固定角度（１／１０）６１を固着し、鼻隠し板Ａ（勾配追従）６に躯体固定用螺子釘７７で所定の高さに固定し、雨滴砕水噴霧化板１６と滴砕水噴霧化板固持Ａ３（４）、Ｂ２、Ｃ２、Ｄ２式上材３１を雨滴砕水噴霧化板固持Ａ４式下材固定角度（１／１０）６１に乗せ、押し螺子７８で雨滴砕水噴霧化板固持Ａ４式下材固定角度（１／１０）６１に挟み雨滴砕水噴霧化板固持Ａ４式下材固定角度（１／１０）６１に固定した図である。鼻隠し板Ａ（勾配追従）６の施工精度に左右され、微小角度調整は不可であるがシンプルなデザインで提供可能である。
【００３９】
図２２は雨滴砕水噴霧化板固持Ａ２（４）式対応ブラケット固定角度（７／１０）３６に固定ナットＢ８２を内蔵した雨滴砕水噴霧化板固持Ａ４式下材固定角度（７・１０／１０）６２を固着し、鼻隠し板Ａ（勾配追従）６に躯体固定用螺子釘７７で所定の高さに固定し、雨滴砕水噴霧化板１６と滴砕水噴霧化板固持Ａ３（４）、Ｂ２、Ｃ２、Ｄ２式上材３１を雨滴砕水噴霧化板固持Ａ４式下材固定角度（７・１０／１０）６２に乗せ、押し螺子７８で雨滴砕水噴霧化板固持Ａ４式下材固定角度（７・１０／１０）６２に挟み雨滴砕水噴霧化板固持Ａ４式下材固定角度（７・１０／１０）６２に固定した図である。鼻隠し板Ａ（勾配追従）６の施工精度に左右され、微小角度調整は不可であるがシンプルなデザインで提供可能である。
【００４０】
図２３は雨滴砕水噴霧化板固持Ａ２（４）式対応ブラケット固定角度（１０／１０）４０に固定ナットＢ８
２を内蔵した雨滴砕水噴霧化板固持Ａ４式下材固定角度（７・１０／１０）６２を固着し、鼻隠し板Ａ（勾配追従）６に躯体固定用螺子釘７７で所定の高さに固定し、雨滴砕水噴霧化板１６と滴砕水噴霧化板固持Ａ３（４）、Ｂ２、Ｃ２、Ｄ２式上材３１を雨滴砕水噴霧化板固持Ａ４式下材固定角度（７・１０／１０）６２に乗せ、押し螺子７８で雨滴砕水噴霧化板固持Ａ４式下材固定角度（７・１０／１０）６２に挟み雨滴砕水噴霧化板固持Ａ４式下材固定角度（７・１０／１０）６２に固定した図である。鼻隠し板Ａ（勾配追従）６の施工精度に左右され、微小角度調整は不可であるがシンプルなデザインで提供可能である。
【００４１】
図２４は雨滴砕水噴霧化板固持Ａ２（４）式対応ブラケット固定角度（３／１０）３８に固定ナットＢ８
２を内蔵した雨滴砕水噴霧化板固持Ａ４式下材固定角度（３／１０）６３を固着し、鼻隠し板Ａ（勾配追従）６に躯体固定用螺子釘７７で所定の高さに固定し、雨滴砕水噴霧化板１６と滴砕水噴霧化板固持Ａ３（４）、Ｂ２、Ｃ２、Ｄ２式上材３１を雨滴砕水噴霧化板固持Ａ４式下材固定角度（３／１０）６３に乗せ、押し螺子７８で雨滴砕水噴霧化板固持Ａ４式下材固定角度（３／１０）６３に挟み雨滴砕水噴霧化板固持Ａ４式下材固定角度（３／１０）６３に固定した図である。鼻隠し板Ａ（勾配追従）６の施工精度に左右され、微小角度調整は不可であるがシンプルなデザインで提供可能である。Ａ１２−Ａ１２矢視図は雨滴砕水噴霧化板１６の端部に雨滴砕水噴霧化板集合端部固定板９０度２７を固着した装着状態図であり、Ａ１３−Ａ１３矢視図は断面概要を表している。滴砕水噴霧化板固持Ａ３（４）、Ｂ２、Ｃ２、Ｄ２式上材３１及び雨滴砕水噴霧化板固持Ａ４式下材固定角度（１・３・７・１０／１０）６１・６３・６２に内蔵している位置確保捨て材Ａ７６によって左右の雨滴砕水噴霧化板集合端部固定板９０度２７は一定距離を保っている。Ａ１４−Ａ１４矢視図は雨滴砕水噴霧化板固持Ａ２（４）式対応ブラケット固定角度（１・３・７・１０／１０）３４・３８・３６・４０に雨滴砕水噴霧化板固持Ａ４式下材固定角度（１・３・７・１０／１０）６１・６３・６２を固着した装着状態図である。雨滴砕水噴霧化固持Ａ４式（１・３・７・１０／１０）概要図中・図２１〜２３はＡ１２〜１４−Ａ１２〜１４矢視図同様相似形で表現となる。
【００４２】
図２５は雨滴砕水噴霧化固持Ａ４式（１・３・７・１０／１０）概要図中・図２１〜２４の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図ある。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ａ２（４）式対応ブラケット固定角度（１・３・７・１０／１０）３４・３８・３６・４０の配置状況により後付雨滴砕水噴霧化板固定金具Ａ８３と後付雨滴砕水噴霧化板固定金具Ｂ８４の適正配置を決定するものとする。
【実施例５】
【００４３】
金属屋根状態の鼻隠し板Ａ（勾配追従）６に雨滴砕水噴霧化板固持Ａ１（３、５），Ｃ１（２、３）式自在角度対応（１・４・７・１０／１０）ブラケットベースセット４７（４９、５１、５３）を躯体固定用螺子釘７７で固定した雨滴砕水噴霧化固持Ａ５式（１・４・７・１０／１０）である。
【００４４】
図２６は段付き隙間確保鋲８８で固定された２枚の雨滴砕水噴霧化板固持Ａ５、Ｃ３、Ｄ３式下材５９に小
判型軸加工ボルトナットセット８１を挿入し緊結ボルトナットセット７９で固定した組み付け品を雨滴砕水噴霧化板固持Ａ１（３、５），Ｃ１（２、３）式自在角度対応（１／１０）ブラケットベースセット４７に緊結ボルトナットセット７９で組み付けし、鼻隠し板Ａ（勾配追従）６に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ａ５、Ｃ３、Ｄ３式下材５９に乗せ、小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ａ１（３、５），Ｃ１（２、３）式自在角度対応（１／１０）ブラケット４８に弧状に加工されたガイドに沿い回転し任意希望位置で緊結ボルトナットセット７９を締めて固定する。
【００４５】
図２７は段付き隙間確保鋲８８で固定された２枚の雨滴砕水噴霧化板固持Ａ５、Ｃ３、Ｄ３式下材５９に小
判型軸加工ボルトナットセット８１を挿入し緊結ボルトナットセット７９で固定した組み付け品を雨滴砕水噴霧化板固持Ａ１（３、５），Ｃ１（２、３）式自在角度対応（７／１０）ブラケットベースセット５１に緊結ボルトナットセット７９で組み付けし、鼻隠し板Ａ（勾配追従）６に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ａ５、Ｃ３、Ｄ３式下材５９に乗せ、小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ａ１（３、５），Ｃ１（２、３）式自在角度対応（７／１０）ブラケット５２に弧状に加工されたガイドに沿い回転し任意希望位置で緊結ボルトナットセット７９を締めて固定する。
【００４６】
図２８は段付き隙間確保鋲８８で固定された２枚の雨滴砕水噴霧化板固持Ａ５、Ｃ３、Ｄ３式下材５９に小
判型軸加工ボルトナットセット８１を挿入し緊結ボルトナットセット７９で固定した組み付け品を雨滴砕水噴霧化板固持Ａ１（３、５），Ｃ１（２、３）式自在角度対応（１０／１０）ブラケットベースセット５３に緊結ボルトナットセット７９で組み付けし、鼻隠し板Ａ（勾配追従）６に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ａ５、Ｃ３、Ｄ３式下材５９に乗せ、小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ａ１（３、５），Ｃ１（２、３）式自在角度対応（１０／１０）ブラケット５４に弧状に加工されたガイドに沿い回転し任意希望位置で緊結ボルトナットセット７９を締めて固定する。
【００４７】
図２９は段付き隙間確保鋲８８で固定された２枚の雨滴砕水噴霧化板固持Ａ５、Ｃ３、Ｄ３式下材５９に小
判型軸加工ボルトナットセット８１を挿入し緊結ボルトナットセット７９で固定した組み付け品を雨滴砕水噴霧化板固持Ａ１（３、５），Ｃ１（２、３）式自在角度対応（４／１０）ブラケットベースセット４９に緊結ボルトナットセット７９で組み付けし、鼻隠し板Ａ（勾配追従）６に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ａ５、Ｃ３、Ｄ３式下材５９に乗せ、小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ａ１（３、５），Ｃ１（２、３）式自在角度対応（４／１０）ブラケット５０に弧状に加工されたガイドに沿い回転し任意希望位置で緊結ボルトナットセット７９を締めて固定する。Ａ１５−Ａ１５矢視図は雨滴砕水噴霧化板１６を配置した装着状態図であり、Ａ１６−Ａ１６及びＡ１７−Ａ１７矢視図は断面概要を表している。Ａ１８−Ａ１８矢視図は雨滴砕水噴霧化板固持ベース板Ａ１（３、５）、Ｃ１（２、３）式用６０と雨滴砕水噴霧化板固持Ａ１（３、５）、Ｃ１（２、３）式自在角度（１〜１０／１０）対応軸受け材５５〜５８と雨滴砕水噴霧化板固持Ａ１（３、５），Ｃ１（２、３）式自在角度対応（１〜１０／１０）ブラケット４８・５０・５２・５４と雨滴砕水噴霧化板固持Ａ５、Ｃ３、Ｄ３式下材５９の関係状態図である。雨滴砕水噴霧化固持Ａ５式（１・４・７・１０／１０）概要図中・図２６〜２８はＡ１５〜１８−Ａ１５〜１８矢視図同様相似形で表現となる。
【００４８】
図３０は雨滴砕水噴霧化固持Ａ５式（１・４・７・１０／１０）概要図中・図２６〜２９の平面１概要図である。雨滴砕水噴霧化板１６の端部は自由状態で配置使用している状態で、雨滴砕水噴霧化板１６の強度アップ及び変形防止例として後付雨滴砕水噴霧化板固定金具Ａ８３と後付雨滴砕水噴霧化板固定金具Ｂ８４を必要に応じ配置した関係状態図である。実施時は積雪荷重及び雨滴砕水噴霧化板固持Ａ１（３、５），Ｃ１（２、３）式自在角度対応（１・４・７・１０／１０）ブラケットベースセット４７・４９・５１・５３の配置状況により後付雨滴砕水噴霧化板固定金具Ａ８３と後付雨滴砕水噴霧化板固定金具Ｂ８４の適正配置を決定するものとする。
【実施例６】
【００４９】
金属屋根状態の鼻隠し板Ａ（勾配追従）６に雨滴砕水噴霧化板固持Ａ６式ブラケット兼用下材固定角度（１・４・７・１０／１０）４１・４２・４３・４４を躯体固定用螺子釘７７で固定した雨滴砕水噴霧化固持Ａ６式（１・４・７・１０／１０）である。
【００５０】
図３１は段付き隙間確保鋲８８で固定された２枚の雨滴砕水噴霧化板固持Ａ６式ブラケット兼用下材固定
角度（１／１０）４１に小判型軸加工ボルトナットセット８１を挿入し緊結ボルトナットセット７９で固定した組み付け品を鼻隠し板Ａ（勾配追従）６に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ａ６式ブラケット兼用下材固定角度（１／１０）４１に乗せ、小判型軸加工ボルトナットセット８１で雨滴砕水噴霧化板固持Ａ６式ブラケット兼用下材固定角度（１／１０）４１に挟み雨滴砕水噴霧化板固持Ａ６式ブラケット兼用下材固定角度（１／１０）４１に固定した図である。鼻隠し板Ａ（勾配追従）６の施工精度に左右され、微小角度調整は不可であるがシンプルなデザインで提供可能である。
【００５１】
図３２は段付き隙間確保鋲８８で固定された２枚の雨滴砕水噴霧化板固持Ａ６式ブラケット兼用下材固定
角度（７／１０）４３に小判型軸加工ボルトナットセット８１を挿入し緊結ボルトナットセット７９で固定した組み付け品を鼻隠し板Ａ（勾配追従）６に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ａ６式ブラケット兼用下材固定角度（７／１０）４３に乗せ、小判型軸加工ボルトナットセット８１で雨滴砕水噴霧化板固持Ａ６式ブラケット兼用下材固定角度（７／１０）４３に挟み雨滴砕水噴霧化板固持Ａ６式ブラケット兼用下材固定角度（７／１０）４３に固定した図である。鼻隠し板Ａ（勾配追従）６の施工精度に左右され、微小角度調整は不可であるがシンプルなデザインで提供可能である。
【００５２】
図３３は段付き隙間確保鋲８８で固定された２枚の雨滴砕水噴霧化板固持Ａ６式ブラケット兼用下材固定
角度（１０／１０）４４に小判型軸加工ボルトナットセット８１を挿入し緊結ボルトナットセット７９で固定した組み付け品を鼻隠し板Ａ（勾配追従）６に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ａ６式ブラケット兼用下材固定角度（１０／１０）４４に乗せ、小判型軸加工ボルトナットセット８１で雨滴砕水噴霧化板固持Ａ６式ブラケット兼用下材固定角度（１０／１０）４４に挟み雨滴砕水噴霧化板固持Ａ６式ブラケット兼用下材固定角度（１０／１０）４４に固定した図である。鼻隠し板Ａ（勾配追従）６の施工精度に左右され、微小角度調整は不可であるがシンプルなデザインで提供可能である。
【００５３】
図３４は段付き隙間確保鋲８８で固定された２枚の雨滴砕水噴霧化板固持Ａ６式ブラケット兼用下材固定
角度（４／１０）４２に小判型軸加工ボルトナットセット８１を挿入し緊結ボルトナットセット７９で固定した組み付け品を鼻隠し板Ａ（勾配追従）６に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ａ６式ブラケット兼用下材固定角度（４／１０）４２に乗せ、小判型軸加工ボルトナットセット８１で雨滴砕水噴霧化板固持Ａ６式ブラケット兼用下材固定角度（４／１０）４２に挟み雨滴砕水噴霧化板固持Ａ６式ブラケット兼用下材固定角度（４／１０）４２に固定した図である。鼻隠し板Ａ（勾配追従）６の施工精度に左右され、微小角度調整は不可であるがシンプルなデザインで提供可能である。Ａ１９−Ａ１９矢視図は雨滴砕水噴霧化板１６を配置した装着状態図であり、Ａ２０−Ａ２０及びＡ２１−Ａ２１矢視図は断面概要を表している。Ａ２２−Ａ２２矢視図は雨滴砕水噴霧化板固持Ａ６式ブラケット兼用下材固定角度（１・４・７・１０／１０）４１〜４４と後付雨滴砕水噴霧化板固定金具Ｂ上材８５と後付雨滴砕水噴霧化板固定金具Ｂ上刃材８６の関係状態図である。雨滴砕水噴霧化固持Ａ６式（１・４・７・１０／１０）概要図中・図３１〜３３はＡ１９〜２２−Ａ１９〜２２矢視図同様相似形で表現となる。
【００５４】
図３５は雨滴砕水噴霧化固持Ａ６式（１・４・７・１０／１０）概要図中・図３１〜３４の平面１概要図である。雨滴砕水噴霧化板１６の端部は自由状態で配置使用している状態で、雨滴砕水噴霧化板１６の強度アップ及び変形防止例として後付雨滴砕水噴霧化板固定金具Ａ８３と後付雨滴砕水噴霧化板固定金具Ｂ８４を必要に応じ配置した関係状態図である。実施時は積雪荷重及び雨滴砕水噴霧化板固持Ａ６式ブラケット兼用下材固定角度（１・４・７・１０／１０）４１・４２・４３・４４の配置状況により後付雨滴砕水噴霧化板固定金具Ａ８３と後付雨滴砕水噴霧化板固定金具Ｂ８４の適正配置を決定するものとする。
【実施例７】
【００５５】
金属屋根状態の鼻隠し板Ｃ（勾配不追従）８・９に雨滴砕水噴霧化板固持Ｂ１式下材固定角度（１・４・７・１０／１０）ブラケットベースセット６４・６６を躯体固定用螺子釘７７で固定した雨滴砕水噴霧化板固持Ｂ１式（１・４・７・１０／１０）である。
【００５６】
図３６は金属屋根状態の鼻隠し板Ｃ（勾配不追従）８に雨滴砕水噴霧化板固持Ｂ１式下材固定角度（１・４／１０）ブラケットベースセット６４を躯体固定用螺子釘７７で固定した概要図で、雨滴砕水噴霧化板固持ベース板Ｂ１（２、３）式用６９と固定ナットＡ８０を内蔵した雨滴砕水噴霧化板固持Ａ１、Ｂ１、Ｃ１、Ｄ１式下材３０を雨滴砕水噴霧化板固持Ｂ１式下材固定角度（１〜１０／１０）ブラケット６５に固着した雨滴砕水噴霧化板固持Ｂ１式下材固定角度（１・４／１０）ブラケットベースセット６４を鼻隠し板Ｃ（勾配不追従）８に躯体固定用螺子釘７７で所定の高さに固定後、雨滴砕水噴霧化板１６と雨滴砕水噴霧化板固持Ａ１（２）、Ｂ１、Ｃ１、Ｄ１式上材２９を雨滴砕水噴霧化板固持Ａ１、Ｂ１、Ｃ１、Ｄ１式下材３０に乗せ、押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。鼻隠し板Ｃ（勾配不追従）８の施工精度に左右され、微小角度調整は不可であるがシンプルなデザインで提供可能である。
【００５７】
図３７及び図３８は金属屋根状態の鼻隠し板Ｃ（勾配不追従）９に雨滴砕水噴霧化板固持Ｂ１式下材固定角度（７・１０／１０）ブラケットベースセット６６を躯体固定用螺子釘７７で固定した概要図で、雨滴砕水噴霧化板固持ベース板Ｂ１（２、３）式用６９と固定ナットＡ８０を内蔵した雨滴砕水噴霧化板固持Ａ１、Ｂ１、Ｃ１、Ｄ１式下材３０を雨滴砕水噴霧化板固持Ｂ１式下材固定角度（１〜１０／１０）ブラケット６５に固着した雨滴砕水噴霧化板固持Ｂ１式下材固定角度（７・１０／１０）ブラケットベースセット６６を鼻隠し板Ｃ（勾配不追従）９に躯体固定用螺子釘７７で所定の高さに固定後、雨滴砕水噴霧化板１６と雨滴砕水噴霧化板固持Ａ１（２）、Ｂ１、Ｃ１、Ｄ１式上材２９を雨滴砕水噴霧化板固持Ａ１、Ｂ１、Ｃ１、Ｄ１式下材３０に乗せ、押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。鼻隠し板Ｃ（勾配不追従）９の施工精度に左右され、微小角度調整は不可であるがシンプルなデザインで提供可能である。
【００５８】
図３９は金属屋根状態の鼻隠し板Ｃ（勾配不追従）８に雨滴砕水噴霧化板固持Ｂ１式下材固定角度（１・４／１０）ブラケットベースセット６４を躯体固定用螺子釘７７で固定した概要図で、雨滴砕水噴霧化板固持ベース板Ｂ１（２、３）式用６９と固定ナットＡ８０を内蔵した雨滴砕水噴霧化板固持Ａ１、Ｂ１、Ｃ１、Ｄ１式下材３０を雨滴砕水噴霧化板固持Ｂ１式下材固定角度（１〜１０／１０）ブラケット６５に固着した雨滴砕水噴霧化板固持Ｂ１式下材固定角度（１・４／１０）ブラケットベースセット６４を鼻隠し板Ｃ（勾配不追従）８に躯体固定用螺子釘７７で所定の高さに固定後、雨滴砕水噴霧化板１６と雨滴砕水噴霧化板固持Ａ１（２）、Ｂ１、Ｃ１、Ｄ１式上材２９を雨滴砕水噴霧化板固持Ａ１、Ｂ１、Ｃ１、Ｄ１式下材３０に乗せ、押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。鼻隠し板Ｃ（勾配不追従）８の施工精度に左右され、微小角度調整は不可であるがシンプルなデザインで提供可能である。Ａ２３−Ａ２３矢視図は雨滴砕水噴霧化板１６を配置した装着状態図であり、Ａ２５−Ａ２５矢視図に断面概要を表している。Ａ２４−Ａ２４矢視図は雨滴砕水噴霧化板１６の端部に雨滴砕水噴霧化板集合端部固定板９０度２７を固着した装着状態図である。雨滴砕水噴霧化板固持Ａ１（２）、Ｂ１、Ｃ１、Ｄ１式上材２９及び雨滴砕水噴霧化板固持Ａ１、Ｂ１、Ｃ１、Ｄ１式下材３０に内蔵されている位置確保捨て材Ａ７６によって左右の雨滴砕水噴霧化板集合端部固定板９０度２７は一定距離を保っている。Ａ２６−Ａ２６矢視図は雨滴砕水噴霧化板固持ベース板Ｂ１（２、３）式用６９と雨滴砕水噴霧化板固持Ａ１（２）、Ｂ１、Ｃ１、Ｄ１式上材２９と雨滴砕水噴霧化板固持Ａ１、Ｂ１、Ｃ１、Ｄ１式下材３０及び雨滴砕水噴霧化板固持Ｂ１式下材固定角度（１〜１０／１０）ブラケット６５との関係状態図である。雨滴砕水噴霧化板固持Ｂ１式（１・４・７・１０／１０）概要図中・図３６〜３８はＡ２３〜２６−Ａ２３〜２６矢視図同様相似形で表現となる。
【００５９】
図４０は雨滴砕水噴霧化板固持Ｂ１式（１・４・７・１０／１０）概要図・図３６〜３９の平面１概要図である。雨滴砕水噴霧化板１６の端部は自由状態で配置使用している状態で、雨滴砕水噴霧化板１６の強度アップ及び変形防止例として後付雨滴砕水噴霧化板固定金具Ａ８３と後付雨滴砕水噴霧化板固定金具Ｂ８４を必要に応じ配置した関係状態図である。実施時は積積雪荷重及び雨滴砕水噴霧化板固持Ｂ１式下材固定角度（１・４／１０）ブラケットベースセット６４、雨滴砕水噴霧化板固持Ｂ１式下材固定角度（７・１０／１０）ブラケットベースセット６６の配置状況により後付雨滴砕水噴霧化板固定金具Ａ８３と後付雨滴砕水噴霧化板固定金具Ｂ８４の適正配置を決定するものとする。
【００６０】
図４１は雨滴砕水噴霧化板固持Ｂ１式（１・４・７・１０／１０）概要図・図３６〜３９の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図ある。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ｂ１式下材固定角度（１・４／１０）ブラケットベースセット６４、雨滴砕水噴霧化板固持Ｂ１式下材固定角度（７・１０／１０）ブラケットベースセット６６の配置状況により後付雨滴砕水噴霧化板固定金具Ａ８３と後付雨滴砕水噴霧化板固定金具Ｂ８４の適正配置を決定するものとする。
【実施例８】
【００６１】
金属屋根状態の鼻隠し板Ｃ（勾配不追従）８・９に雨滴砕水噴霧化板固持Ｂ２式下材固定角度（１・４・７・１０／１０）ブラケットベースセット６７・６８を躯体固定用螺子釘７７で固定した雨滴砕水噴霧化板固持Ｂ２式（１・４・７・１０／１０）である。
【００６２】
図４２は金属屋根状態の鼻隠し板Ｃ（勾配不追従）８に雨滴砕水噴霧化板固持Ｂ２式下材固定角度（１・４／１０）ブラケットベースセット６７を躯体固定用螺子釘７７で固定した概要図で、雨滴砕水噴霧化板固持ベース板Ｂ１（２、３）式用６９と固定ナットＢ８２を内蔵した雨滴砕水噴霧化板固持Ａ３、Ｂ２、Ｃ２、Ｄ２式下材３２を雨滴砕水噴霧化板固持Ｂ２式固定角度（１〜１０／１０）ブラケット１０９に固着した雨滴砕水噴霧化板固持Ｂ２式下材固定角度（１・４／１０）ブラケットベースセット６７を鼻隠し板Ｃ（勾配不追従）８に躯体固定用螺子釘７７で所定の高さに固定後、雨滴砕水噴霧化板１６と雨滴砕水噴霧化板固持Ａ３（４）、Ｂ２、Ｃ２、Ｄ２式上材３１を雨滴砕水噴霧化板固持Ａ３、Ｂ２、Ｃ２、Ｄ２式下材３２に乗せ、押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。鼻隠し板Ｃ（勾配不追従）８の施工精度に左右され、微小角度調整は不可であるがシンプルなデザインで提供可能である。
【００６３】
図４３及び図４４は金属屋根状態の鼻隠し板Ｃ（勾配不追従）９に雨滴砕水噴霧化板固持Ｂ２式下材固定角度（７・１０／１０）ブラケットベースセット６８を躯体固定用螺子釘７７で固定した概要図で、雨滴砕水噴霧化板固持ベース板Ｂ１（２、３）式用６９と固定ナットＢ８２を内蔵した雨滴砕水噴霧化板固持Ａ３、Ｂ２、Ｃ２、Ｄ２式下材３２を雨滴砕水噴霧化板固持Ｂ２式固定角度（１〜１０／１０）ブラケット１０９に固着した雨滴砕水噴霧化板固持Ｂ２式下材固定角度（７・１０／１０）ブラケットベースセット６８を鼻隠し板Ｃ（勾配不追従）９に躯体固定用螺子釘７７で所定の高さに固定後、雨滴砕水噴霧化板１６と雨滴砕水噴霧化板固持Ａ３（４）、Ｂ２、Ｃ２、Ｄ２式上材３１を雨滴砕水噴霧化板固持Ａ３、Ｂ２、Ｃ２、Ｄ２式下材３２に乗せ、押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。鼻隠し板Ｃ（勾配不追従）９の施工精度に左右され、微小角度調整は不可であるがシンプルなデザインで提供可能である。
【００６４】
図４５は金属屋根状態の鼻隠し板Ｃ（勾配不追従）８に雨滴砕水噴霧化板固持Ｂ２式下材固定角度（１・４／１０）ブラケットベースセット６７を躯体固定用螺子釘７７で固定した概要図で、雨滴砕水噴霧化板固持ベース板Ｂ１（２、３）式用６９と固定ナットＢ８２を内蔵した雨滴砕水噴霧化板固持Ａ３、Ｂ２、Ｃ２、Ｄ２式下材３２を雨滴砕水噴霧化板固持Ｂ２式固定角度（１〜１０／１０）ブラケット１０９に固着した雨滴砕水噴霧化板固持Ｂ２式下材固定角度（１・４／１０）ブラケットベースセット６７を鼻隠し板Ｃ（勾配不追従）８に躯体固定用螺子釘７７で所定の高さに固定後、雨滴砕水噴霧化板１６と雨滴砕水噴霧化板固持Ａ３（４）、Ｂ２、Ｃ２、Ｄ２式上材３１を雨滴砕水噴霧化板固持Ａ３、Ｂ２、Ｃ２、Ｄ２式下材３２に乗せ、押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。鼻隠し板Ｃ（勾配不追従）８の施工精度に左右され、微小角度調整は不可であるがシンプルなデザインで提供可能である。Ａ２７−Ａ２７矢視図は雨滴砕水噴霧化板１６の端部に雨滴砕水噴霧化板集合端部固定板９０度２７を固着した装着状態図である。雨滴砕水噴霧化板固持Ａ３（４）、Ｂ２、Ｃ２、Ｄ２式上材３１及び雨滴砕水噴霧化板固持Ａ３、Ｂ２、Ｃ２、Ｄ２式下材３２に内蔵されている位置確保捨て材Ａ７６によって左右の雨滴砕水噴霧化板集合端部固定板９０度２７は一定距離を保っている。Ａ２８−Ａ２８矢視図に断面概要を表している。Ａ２９−Ａ２９矢視図は雨滴砕水噴霧化板固持ベース板Ｂ１（２、３）式用６９と雨滴砕水噴霧化板固持Ａ３（４）、Ｂ２、Ｃ２、Ｄ２式上材３１と雨滴砕水噴霧化板固持Ａ３、Ｂ２、Ｃ２、Ｄ２式下材３２及び雨滴砕水噴霧化板固持Ｂ２式固定角度（１〜１０／１０）ブラケット１０９との関係状態図である。雨滴砕水噴霧化板固持Ｂ２式固定角度（１〜１０／１０）概要図中・図４２〜４４はＡ２７〜２９−Ａ２７〜２９矢視図同様相似形で表現となる。
【００６５】
図４６は雨滴砕水噴霧化板固持Ｂ２式（１・４・７・１０／１０）概要図・図４２〜４５の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図である。雨滴砕水噴霧化板１６の強度アップ及び変形防止例として後付雨滴砕水噴霧化板固定金具Ｄ１００と後付雨滴砕水噴霧化板固定金具Ｅ１０５及び出入隅部に後付雨滴砕水噴霧化板固定金具Ｃ９６を必要に応じ配置した関係状態図である。実施時は積雪荷重及び雨滴砕水噴霧化板固持Ｂ２式下材固定角度（１・４／１０）ブラケットベースセット６７及び雨滴砕水噴霧化板固持Ｂ２式下材固定角度（７・１０／１０）ブラケットベースセット６８の配置状況により後付雨滴砕水噴霧化板固定金具Ｄ１００と後付雨滴砕水噴霧化板固定金具Ｅ１０５の適正配置を決定するものとする。
【実施例９】
【００６６】
金属屋根状態の鼻隠し板Ｃ（勾配不追従）８・９に雨滴砕水噴霧化板固持Ｂ３式ブラケット兼用下材固定角度（１・４・７・１０／１０）７０・７１を躯体固定用螺子釘７７で固定した雨滴砕水噴霧化板固持Ｂ３式（１・４・７・１０／１０）である。
【００６７】
図４７は段付き隙間確保鋲８８で固定された２枚の雨滴砕水噴霧化板固持Ｂ３式ブラケット兼用下材固定
角度（１・４／１０）７０に小判型軸加工ボルトナットセット８１を挿入し緊結ボルトナットセット７９で固定した組み付け品を鼻隠し板Ｃ（勾配不追従）８に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ｂ３式ブラケット兼用下材固定角度（１・４／１０）７０に乗せ、小判型軸加工ボルトナットセット８１で雨滴砕水噴霧化板固持Ｂ３式ブラケット兼用下材固定角度（１・４／１０）７０に挟み雨滴砕水噴霧化板固持Ｂ３式ブラケット兼用下材固定角度（１・４／１０）７０に固定した図である。鼻隠し板Ｃ（勾配不追従）８の施工精度に左右され、微小角度調整は不可であるがシンプルなデザインで提供可能である。
【００６８】
図４８及び図４９は段付き隙間確保鋲８８で固定された２枚の雨滴砕水噴霧化板固持Ｂ３式ブラケット用
下材固定角度（７・１０／１０）７１に小判型軸加工ボルトナットセット８１を挿入し緊結ボルトナットセット７９で固定した組み付け品を鼻隠し板Ｃ（勾配不追従）９に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ｂ３式ブラケット兼用下材固定角度（７・１０／１０）７１に乗せ、小判型軸加工ボルトナットセット８１で雨滴砕水噴霧化板固持Ｂ３式ブラケット兼用下材固定角度（７・１０／１０）７１に挟み雨滴砕水噴霧化板固持Ｂ３式ブラケット兼用下材固定角度（７・１０／１０）７１に固定した図である。鼻隠し板Ｃ（勾配不追従）９の施工精度に左右され、微小角度調整は不可であるがシンプルなデザインで提供可能である。
【００６９】
図５０は段付き隙間確保鋲８８で固定された２枚の雨滴砕水噴霧化板固持Ｂ３式ブラケット兼用下材固定
角度（１・４／１０）７０に小判型軸加工ボルトナットセット８１を挿入し緊結ボルトナットセット７９で固定した組み付け品を鼻隠し板Ｃ（勾配不追従）８に躯体固定用螺子釘７７で所定の高さに固定する。雨滴砕水噴霧化板１６及び後付雨滴砕水噴霧化板固定金具Ｂ上材８５と後付雨滴砕水噴霧化板固定金具Ｂ上刃材８６の組み付け品を雨滴砕水噴霧化板固持Ｂ３式ブラケット兼用下材固定角度（１・４／１０）７０に乗せ、小判型軸加工ボルトナットセット８１で雨滴砕水噴霧化板固持Ｂ３式ブラケット兼用下材固定角度（１・４／１０）７０に挟み雨滴砕水噴霧化板固持Ｂ３式ブラケット兼用下材固定角度（１・４／１０）７０に固定した図である。鼻隠し板Ｃ（勾配不追従）８の施工精度に左右され、微小角度調整は不可であるがシンプルなデザインで提供可能である。Ａ３０−Ａ３０矢視図は雨滴砕水噴霧化板１６を配置した装着状態図であり、Ａ３１−Ａ３１及びＡ３２−Ａ３２矢視図は断面概要を表している。Ａ３３−Ａ３３矢視図は雨滴砕水噴霧化板固持Ｂ３式ブラケット兼用下材固定角度（１・４・７・１０／１０）７０・７１と後付雨滴砕水噴霧化板固定金具Ｂ上材８５と後付雨滴砕水噴霧化板固定金具Ｂ上刃材８６の関係状態図である。雨滴砕水噴霧化板固持Ｂ３式（１・４・７・１０／１０）概要図中・図４７〜４９はＡ３０〜３３−Ａ３０〜３３矢視図同様相似形で表現となる。
【００７０】
図５１は雨滴砕水噴霧化板固持Ｂ３式（１・４・７・１０／１０）概要図中・図４７〜５０の平面１概要図
である。雨滴砕水噴霧化板１６の端部は自由状態で配置使用している状態で、雨滴砕水噴霧化板１６の強度アップ及び変形防止例として後付雨滴砕水噴霧化板固定金具Ａ８３と後付雨滴砕水噴霧化板固定金具Ｂ８４を必要に応じ配置した関係状態図である。実施時は積雪荷重及び雨滴砕水噴霧化板固持Ｂ３式ブラケット兼用下材固定角度（１・４・７・１０／１０）７０・７１の配置状況により後付雨滴砕水噴霧化板固定金具Ａ８３と後付雨滴砕水噴霧化板固定金具Ｂ８４の適正配置を決定するものとする。
【実施例１０】
【００７１】
金属屋根状態の化粧構造垂木材１２に雨滴砕水噴霧化板固持Ｃ１（２、３）式垂木固定金具ベース受け材セット７２を躯体固定用螺子釘７７で固定した雨滴砕水噴霧化板固持Ｃ１式（１・４・７・１０／１０）概要図である。
【００７２】
図５２は、化粧構造垂木材１２に雨滴砕水噴霧化板固持Ｃ１（２、３）式垂木固定金具ベース受け材セット７２を躯体固定用螺子釘７７で固定し、雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、緊結ボルトナットセット７９で雨滴砕水噴霧化板固持Ａ１（３、５），Ｃ１（２、３）式自在角度対応（１／１０）ブラケットベースセット４７に組み付けし、雨滴砕水噴霧化板固持Ａ１（３、５），Ｃ１（２、３）式自在角度対応（１／１０）ブラケットベースセット４７と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し任意位置に固定する。雨滴砕水噴霧化板１６を雨滴砕水噴霧化板固持Ａ１、Ｂ１、Ｃ１、Ｄ１式下材３０に乗せ、雨滴砕水噴霧化板固持Ａ１（２）、Ｂ１、Ｃ１、Ｄ１式上材２９と押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ａ１（３、５）、Ｃ１（２、３）式自在角度対応（１／１０）ブラケット４８に弧状に加工されたガイドに沿い回転し任意希望位置で緊結ボルトナットセット７９を締めて固定する。
【００７３】
図５３は、化粧構造垂木材１２に雨滴砕水噴霧化板固持Ｃ１（２、３）式垂木固定金具ベース受け材セット７２を躯体固定用螺子釘７７で固定し、雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、緊結ボルトナットセット７９で雨滴砕水噴霧化板固持Ａ１（３、５）、Ｃ１（２、３）式自在角度対応（７／１０）ブラケットベースセット５１に組み付けし、雨滴砕水噴霧化板固持Ａ１（３、５）、Ｃ１（２、３）式自在角度対応（７／１０）ブラケットベースセット５１と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し任意位置に固定する。雨滴砕水噴霧化板１６を雨滴砕水噴霧化板固持Ａ１、Ｂ１、Ｃ１、Ｄ１式下材３０に乗せ、雨滴砕水噴霧化板固持Ａ１（２）、Ｂ１、Ｃ１、Ｄ１式上材２９と押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ａ１（３、５），Ｃ１（２、３）式自在角度対応（７／１０）ブラケット５２に弧状に加工されたガイドに沿い回転し任意希望位置で緊結ボルトナットセット７９を締めて固定する。
【００７４】
図５４は、化粧構造垂木材１２に雨滴砕水噴霧化板固持Ｃ１（２、３）式垂木固定金具ベース受け材セット７２を躯体固定用螺子釘７７で固定し、雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、緊結ボルトナットセット７９で雨滴砕水噴霧化板固持Ａ１（３、５）、Ｃ１（２、３）式自在角度対応（１０／１０）ブラケットベースセット５３に組み付けし、雨滴砕水噴霧化板固持Ａ１（３、５）、Ｃ１（２、３）式自在角度対応（１０／１０）ブラケットベースセット５３と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し任意位置に固定する。雨滴砕水噴霧化板１６を雨滴砕水噴霧化板固持Ａ１、Ｂ１、Ｃ１、Ｄ１式下材３０に乗せ、雨滴砕水噴霧化板固持Ａ１（２）、Ｂ１、Ｃ１、Ｄ１式上材２９と押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ａ１（３、５），Ｃ１（２、３）式自在角度対応（１０／１０）ブラケット５４に弧状に加工されたガイドに沿い回転し任意希望位置で緊結ボルトナットセット７９を締めて固定する。
【００７５】
図５５は、化粧構造垂木材１２に雨滴砕水噴霧化板固持Ｃ１（２、３）式垂木固定金具ベース受け材セット７２を躯体固定用螺子釘７７で固定し、雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、緊結ボルトナットセット７９で雨滴砕水噴霧化板固持Ａ１（３、５）、Ｃ１（２、３）式自在角度対応（４／１０）ブラケットベースセット４９に組み付けし、雨滴砕水噴霧化板固持Ａ１（３、５）、Ｃ１（２、３）式自在角度対応（４／１０）ブラケットベースセット４９と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し任意位置に固定する。雨滴砕水噴霧化板１６を雨滴砕水噴霧化板固持Ａ１、Ｂ１、Ｃ１、Ｄ１式下材３０に乗せ、雨滴砕水噴霧化板固持Ａ１（２）、Ｂ１、Ｃ１、Ｄ１式上材２９と押し螺子７８で雨滴砕水噴霧化板固持Ａ１、Ｂ１、Ｃ１、Ｄ１式下材３０に乗せ、挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ａ１（３、５）、Ｃ１（２、３式自在角度対応（４／１０）ブラケット５０に弧状に加工されたガイドに沿い回転し任意希望位置で緊結ボルトナットセット７９を締めて固定する。Ａ３４−Ａ３４矢視図は雨滴砕水噴霧化板１６を配置した装着状態図であり、Ａ３６−Ａ３６矢視図は断面概要を表している。Ａ３５−Ａ３５矢視図は雨滴砕水噴霧化板１６の端部に雨滴砕水噴霧化板集合端部固定板９０度２７を固着した装着状態図である。雨滴砕水噴霧化板固持Ａ１（２）、Ｂ１、Ｃ１、Ｄ１式上材２９及び雨滴砕水噴霧化板固持Ａ１、Ｂ１、Ｃ１、Ｄ１式下材３０に内蔵されている位置確保捨て材Ａ７６によって左右の雨滴砕水噴霧化板集合端部固定板９０度２７は一定距離を保っている。Ａ３７−Ａ３７矢視図では、雨滴砕水噴霧化板固持ベース板Ａ１（３、５）、Ｃ１（２、３）式用６０と雨滴砕水噴霧化板固持Ａ１（３、５）、Ｃ１（２、３）式自在角度（１〜１０／１０）対応軸受け材５５〜５８と雨滴砕水噴霧化板固持Ａ１、Ｃ１、Ｄ１式自在角度支持リブ４５と雨滴砕水噴霧化板固持Ａ１（３、５）、Ｃ１（２、３）式自在角度対応（１〜１０／１０）ブラケット４８・５０・５２・５４と雨滴砕水噴霧化板固持Ｃ１（２、３）式垂木固定金具ベース裏材７５の関係状態図である。
【００７６】
図５６は雨滴砕水噴霧化板固持Ｃ１式概要図・図５２〜５５の平面１概要図である。雨滴砕水噴霧化板１６の端部は自由状態で配置使用されている状態で、雨滴砕水噴霧化板１６の強度アップ及び変形防止例として後付雨滴砕水噴霧化板固定金具Ａ８３と後付雨滴砕水噴霧化板固定金具Ｂ８４を配した関係状態図である。実施時は積雪荷重及び雨滴砕水噴霧化板固持Ａ１（３、５），Ｃ１（２、３）式自在角度対応（１〜１０／１０）ブラケット４８（５０、５２、５４）の配置状況により後付雨滴砕水噴霧化板固定金具Ａ８３と後付雨滴砕水噴霧化板固定金具Ｂ８４の適正配置を決定するものとする。
【００７７】
図５７は雨滴砕水噴霧化板固持Ｃ１式概要図・図５２〜５５の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図である。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ｃ１（２、３）式垂木固定金具ベース受け材セット７２の配置状況により後付雨滴砕水噴霧化板固定金具Ａ８３と後付雨滴砕水噴霧化板固定金具Ｂ８４の適正配置を決定するものとする。
【実施例１１】
【００７８】
金属屋根状態の化粧構造垂木材１２に雨滴砕水噴霧化板固持Ｃ１（２、３）式垂木固定金具ベース受け材セット７２を躯体固定用螺子釘７７で固定した雨滴砕水噴霧化板固持Ｃ２式（１・４・７・１０／１０）概要図である。
【００７９】
図５８は、化粧構造垂木材１２に雨滴砕水噴霧化板固持Ｃ１（２、３）式垂木固定金具ベース受け材セット７２を躯体固定用螺子釘７７で固定し、雨滴砕水噴霧化板固持Ａ３、Ｃ２、Ｄ２式自在角度支持リブ４６に固定ナットＢ８２を内蔵した雨滴砕水噴霧化板固持Ａ３、Ｂ２、Ｃ２、Ｄ２式下材３２を固着し、緊結ボルトナットセット７９で雨滴砕水噴霧化板固持Ａ１（３、５），Ｃ１（２、３）式自在角度対応（１／１０）ブラケットベースセット４７に組み付けし、雨滴砕水噴霧化板固持Ａ１（３、５），Ｃ１（２、３）式自在角度対応（１／１０）ブラケットベースセット４７と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し任意位置に固定する。雨滴砕水噴霧化板１６を雨滴砕水噴霧化板固持Ａ３、Ｂ２、Ｃ２、Ｄ２式下材３２に乗せ、雨滴砕水噴霧化板固持Ａ３（４）、Ｂ２、Ｃ２、Ｄ２式上材３１と押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ａ１（３、５）、Ｃ１（２、３）式自在角度対応（１／１０）ブラケット４８に弧状に加工されたガイドに沿い回転し任意希望位置で緊結ボルトナットセット７９を締めて固定する。
【００８０】
図５９及び図６０は、化粧構造垂木材１２に雨滴砕水噴霧化板固持Ｃ１（２、３）式垂木固定金具ベース受け材セット７２を躯体固定用螺子釘７７で固定し、雨滴砕水噴霧化板固持Ａ３、Ｃ２、Ｄ２式自在角度支持リブ４６に固定ナットＢ８２を内蔵した雨滴砕水噴霧化板固持Ａ３、Ｂ２、Ｃ２、Ｄ２式下材３２を固着し、緊結ボルトナットセット７９で雨滴砕水噴霧化板固持Ａ１（３、５），Ｃ１（２、３）式自在角度対応（７・１０／１０）ブラケットベースセット５１・５３に組み付けし、雨滴砕水噴霧化板固持Ａ１（３、５），Ｃ１（２、３）式自在角度対応（７・１０／１０）ブラケットベースセット５１・５３と雨滴砕水噴霧化板固持Ｃ１（２、３）式垂木固定金具ベース裏材７５を緊結ボルトナットセット７９で仮固定し、雨滴砕水噴霧化板固持Ｃ１（２、３））式垂木固定金具ベース受け材７３内部に挿入し任意位置に固定する。雨滴砕水噴霧化板１６を雨滴砕水噴霧化板固持Ａ３、Ｂ２、Ｃ２、Ｄ２式下材３２に乗せ、雨滴砕水噴霧化板固持Ａ３（４）、Ｂ２、Ｃ２、Ｄ２式上材３１と押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ａ１（３、５）、Ｃ１（２、３）式自在角度対応（７・１０／１０）ブラケット５２・５４に弧状に加工されたガイドに沿い回転し任意希望位置で緊結ボルトナットセット７９を締めて固定する。
【００８１】
図６１は、化粧構造垂木材１２に雨滴砕水噴霧化板固持Ｃ１（２、３）式垂木固定金具ベース受け材セット７２を躯体固定用螺子釘７７で固定し、雨滴砕水噴霧化板固持Ａ３、Ｃ２、Ｄ２式自在角度支持リブ４６に固定ナットＢ８２を内蔵した雨滴砕水噴霧化板固持Ａ３、Ｂ２、Ｃ２、Ｄ２式下材３２を固着し、緊結ボルトナットセット７９で雨滴砕水噴霧化板固持Ａ１（３、５），Ｃ１（２、３）式自在角度対応（４／１０）ブラケットベースセット４９に組み付けし、雨滴砕水噴霧化板固持Ａ１（３、５），Ｃ１（２、３）式自在角度対応（４／１０）ブラケットベースセット４９と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し任意位置に固定する。雨滴砕水噴霧化板１６を雨滴砕水噴霧化板固持Ａ３、Ｂ２、Ｃ２、Ｄ２式下材３２に乗せ、雨滴砕水噴霧化板固持Ａ３（４）、Ｂ２、Ｃ２、Ｄ２式上材３１と押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ａ１（３、５）、Ｃ１（２、３）式自在角度対応（４／１０）ブラケット５０に弧状に加工されたガイドに沿い回転し任意希望位置で緊結ボルトナットセット７９を締めて固定する。Ａ３８−Ａ３８矢視図は雨滴砕水噴霧化板１６の端部に雨滴砕水噴霧化板集合端部固定板９０度２７を固着した装着状態図である。雨滴砕水噴霧化板固持Ａ３（４）、Ｂ２、Ｃ２、Ｄ２式上材３１及び雨滴砕水噴霧化板固持Ａ３、Ｂ２、Ｃ２、Ｄ２式下材３２に内蔵されている位置確保捨て材Ａ７６によって左右の雨滴砕水噴霧化板集合端部固定板９０度２７は一定距離を保っている。Ａ３９−Ａ３９矢視図は断面概要を表している。Ａ４０−Ａ４０矢視図では、雨滴砕水噴霧化板固持ベース板Ａ１（３、５）、Ｃ１（２、３）式用６０と雨滴砕水噴霧化板固持Ａ１（３、５）、Ｃ１（２、３）式自在角度（１〜１０／１０）対応軸受け材５５〜５８と雨滴砕水噴霧化板固持Ａ３、Ｃ２、Ｄ２式自在角度支持リブ４６と雨滴砕水噴霧化板固持Ａ１（３、５）、Ｃ１（２、３）式自在角度対応（１〜１０／１０）ブラケット４８・５０・５２・５４と雨滴砕水噴霧化板固持Ｃ１（２、３）式垂木固定金具ベース裏材７５及び雨滴砕水噴霧化板固持Ｃ１（２、３）式垂木固定金具ベース受け材セット７２の関係状態図である。
【００８２】
図６２は雨滴砕水噴霧化板固持Ｃ２式（１・４・７・１０／１０）概要図・図５８〜６１の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図である。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ｃ１（２、３）式垂木固定金具ベース受け材セット７２の配置状況により後付雨滴砕水噴霧化板固定金具Ａ８３と後付雨滴砕水噴霧化板固定金具Ｂ８４の適正配置を決定するものとする。
【実施例１２】
【００８３】
金属屋根状態の化粧構造垂木材１２に雨滴砕水噴霧化板固持Ｃ１（２、３）式垂木固定金具ベース受け材セット７２を躯体固定用螺子釘７７で固定した雨滴砕水噴霧化板固持Ｃ３式（１・４・７・１０／１０）である。
【００８４】
図６３は段付き隙間確保鋲８８で固定された２枚の雨滴砕水噴霧化板固持Ａ５、Ｃ３、Ｄ３式下材５９に小
判型軸加工ボルトナットセット８１を挿入し緊結ボルトナットセット７９で固定した組み付け品を雨滴砕水噴霧化板固持Ａ１（３、５），Ｃ１（２、３）式自在角度対応（１／１０）ブラケットベースセット４７に緊結ボルトナットセット７９で組み付けし、雨滴砕水噴霧化板固持Ａ１（３、５），Ｃ１（２、３）式自在角度対応（１／１０）ブラケットベースセット４７と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し所定の高さに固定し、雨滴砕水噴霧化板１６を雨滴砕水噴霧化板固持Ａ５、Ｃ３、Ｄ３式下材５９に乗せ、後付雨滴砕水噴霧化板固定金具Ｂ上材８５と後付雨滴砕水噴霧化板固定金具Ｂ上刃材８６の組み付け品を雨滴砕水噴霧化板固持Ａ５、Ｃ３、Ｄ３式下材５９に小判型軸加工ボルトナットセット８１で挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ａ１（３、５）、Ｃ１（２、３）式自在角度対応（１／１０）ブラケット４８に弧状に加工されたガイドに沿い回転し任意希望位置で緊結ボルトナットセット７９を締めて固定する。
【００８５】
図６４及び図６５は段付き隙間確保鋲８８で固定された２枚の雨滴砕水噴霧化板固持Ａ５、Ｃ３、Ｄ３式下
材５９に小判型軸加工ボルトナットセット８１を挿入し緊結ボルトナットセット７９で固定した組み付け品を雨滴砕水噴霧化板固持Ａ１（３、５），Ｃ１（２、３）式自在角度対応（７・１０／１０）ブラケットベースセット５１・５３に緊結ボルトナットセット７９で組み付けし、雨滴砕水噴霧化板固持Ａ１（３、５），Ｃ１（２、３）式自在角度対応（７・１０／１０）ブラケットベースセット５１・５３と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し所定の高さに固定し、雨滴砕水噴霧化板１６を雨滴砕水噴霧化板固持Ａ５、Ｃ３、Ｄ３式下材５９に乗せ、後付雨滴砕水噴霧化板固定金具Ｂ上材８５と後付雨滴砕水噴霧化板固定金具Ｂ上刃材８６の組み付け品を雨滴砕水噴霧化板固持Ａ５、Ｃ３、Ｄ３式下材５９に小判型軸加工ボルトナットセット８１で挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ａ１（３、５）、Ｃ１（２、３）式自在角度対応（７・１０／１０）ブラケット５２・５４に弧状に加工されたガイドに沿い回転し任意希望位置で緊結ボルトナットセット７９を締めて固定する。
【００８６】
図６６は段付き隙間確保鋲８８で固定された２枚の雨滴砕水噴霧化板固持Ａ５、Ｃ３、Ｄ３式下材５９に小
判型軸加工ボルトナットセット８１を挿入し緊結ボルトナットセット７９で固定した組み付け品を雨滴砕水噴霧化板固持Ａ１（３、５），Ｃ１（２、３）式自在角度対応（４／１０）ブラケットベースセット４９に緊結ボルトナットセット７９で組み付けし、雨滴砕水噴霧化板固持Ａ１（３、５），Ｃ１（２、３）式自在角度対応（４／１０）ブラケットベースセット４９と雨滴砕水噴霧化板固持Ｃ１（２、３）式垂木固定金具ベース裏材７５を緊結ボルトナットセット７９で仮固定し、雨滴砕水噴霧化板固持Ｃ１（２、３）式垂木固定金具ベース受け材７３内部に挿入し所定の高さに固定し、雨滴砕水噴霧化板１６を雨滴砕水噴霧化板固持Ａ５、Ｃ３、Ｄ３式下材５９に乗せ、後付雨滴砕水噴霧化板固定金具Ｂ上材８５と後付雨滴砕水噴霧化板固定金具Ｂ上刃材８６の組み付け品と小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ａ１（３、５）、Ｃ１（２、３）式自在角度対応（４／１０）ブラケット５０に弧状に加工されたガイドに沿い回転し任意希望位置で緊結ボルトナットセット７９を締めて固定する。Ａ４１−Ａ４１矢視図は雨滴砕水噴霧化板１６を配置した装着状態図であり、Ａ４２−Ａ４２及びＡ４３−Ａ４３矢視図は断面概要を表している。Ａ４４−Ａ４４矢視図は雨滴砕水噴霧化板固持ベース板Ａ１（３、５）、Ｃ１（２、３）式用６０と雨滴砕水噴霧化板固持Ａ１（３、５）、Ｃ１（２、３）式自在角度（１〜１０／１０）対応軸受け材５５〜５８と雨滴砕水噴霧化板固持Ａ１（３、５）、Ｃ１（２、３）式自在角度対応（１〜１０／１０）ブラケット４８・５０・５２・５４と雨滴砕水噴霧化板固持Ａ５、Ｃ３、Ｄ３式下材５９の関係状態図である。雨滴砕水噴霧化板固持Ｃ３式（１・４・７・１０／１０）概要図中・図６３〜６５はＡ４１〜４４−Ａ４１〜４４矢視図同様相似形で表現となる。
【００８７】
図６７は雨滴砕水噴霧化板固持Ｃ３式（１・４・７・１０／１０）概要図中・図６３〜６６の平面１概要図である。雨滴砕水噴霧化板１６の端部は自由状態で配置使用している状態で、雨滴砕水噴霧化板１６の強度アップ及び変形防止例として後付雨滴砕水噴霧化板固定金具Ａ８３と後付雨滴砕水噴霧化板固定金具Ｂ８４を必要に応じ配置した関係状態図である。実施時は積雪荷重及び雨滴砕水噴霧化板固持Ｃ１（２、３）式垂木固定金具ベース受け材セット７２の配置状況により後付雨滴砕水噴霧化板固定金具Ａ８３と後付雨滴砕水噴霧化板固定金具Ｂ８４の適正配置を決定するものとする。
【実施例１３】
【００８８】
実施例１〜１２及び実施例１４〜１６に記載している平面１及び平面２概要図内に重複している出入隅部分図及び表記していない各種固持金具と雨滴砕水噴霧化板１６との一般固定図説明として記載。
【００８９】
図６８は雨滴砕水噴霧化板１６の端部が自由状態又は端部に雨滴砕水噴霧化板集合端部固定板４５度２８が固着されて入隅部にて交差する時、雨滴砕水噴霧化板１６の強度アップ及び変形防止策として後付４５度雨滴砕水噴霧化板固定金具Ａ８９を配置使用している関係状態図Ａ４５と、後付４５度雨滴砕水噴霧化板固定金具Ｂ９３を配置使用している関係状態図Ａ４６である。両関係状態図共、雨滴砕水噴霧化板１６と後付４５度雨滴砕水噴霧化板固定金具Ａ８９、後付４５度雨滴砕水噴霧化板固定金具Ｂ９３が４５度で交差する時、交差角度に対応した鋸刃間隔加工された後付４５度雨滴砕水噴霧化板固定金具Ａ上材９０、後付４５度雨滴砕水噴霧化板固定金具Ａ下材９１、後付け４５度雨滴砕水噴霧化板固定金具Ｂ上材９４、後付４５度雨滴砕水噴霧化板固定金具Ｂ下材９５に位置確保捨て材Ｂ９２を内蔵させる事により、雨滴砕水噴霧化板１６の端部が自由端状態及び雨滴砕水噴霧化板集合端部固定板４５度２８が固着している場合にも使用可能な構造と成る。入隅交差角度が９０度以外時でも、角度に対応した鋸刃間隔加工を実施する事に因り対応可能である。
【００９０】
図６９は雨滴砕水噴霧化板１６の端部が自由状態又は端部に雨滴砕水噴霧化板集合端部固定板４５度２８が固着されて出隅部にて交差する時、雨滴砕水噴霧化板１６の強度アップ及び変形防止策として後付４５度雨滴砕水噴霧化板固定金具Ａ８９を配置使用している関係状態図Ａ４７と、後付４５度雨滴砕水噴霧化板固定金具Ｂ９３を配置使用している関係状態図Ａ４８である。両関係状態図共、雨滴砕水噴霧化板１６と後付４５度雨滴砕水噴霧化板固定金具Ａ８９、後付４５度雨滴砕水噴霧化板固定金具Ｂ９３が４５度で交差する時、交差角度に対応した鋸刃間隔加工された後付４５度雨滴砕水噴霧化板固定金具Ａ上材９０、後付４５度雨滴砕水噴霧化板固定金具Ａ下材９１、後付け４５度雨滴砕水噴霧化板固定金具Ｂ上材９４、後付４５度雨滴砕水噴霧化板固定金具Ｂ下材９５に位置確保捨て材Ｂ９２を内蔵させる事により、雨滴砕水噴霧化板１６の端部が自由端状態及び雨滴砕水噴霧化板集合端部固定板４５度２８が固着している場合にも使用可能な構造と成る。出隅交差角度が９０度以外時でも、角度に対応した鋸刃間隔加工を実施する事に因り対応可能である。
【００９１】
図７０は雨滴砕水噴霧化板固持Ａ６式ブラケット兼用下材固定角度（７／１０）４３上で雨滴砕水噴霧化板１６を連続使用する時の関係状態図を記している。雨滴砕水噴霧化板１６の重ね寸法は熱伸縮及び施工性他を考慮して重ね代を確保するものとする。本出願書類内の鋸刃状に図面記載された雨滴砕水噴霧化板１６を固持する部品は全て雨滴砕水噴霧化板１６が一枚状態及び２枚重ね状態に対応できる形状に加工されている。雨滴砕水噴霧化板１６固持時、端部が不揃い状態になる時及び固持強度ＵＰ必要時等は雨滴砕水噴霧化板固定部厚み補完板１７を使用する事もある。実施例１〜１６記載各種固持金具使用時も適用可能である。
【実施例１４】
【００９２】
金属屋根状態の化粧構造垂木材１２の側面に雨滴砕水噴霧化板固持Ｄ１（２、３）式自由角度対応（１〜１０／１０）化粧垂木用ブラケットプレート１１２〜１１５を躯体固定用螺子釘７７で固定した雨滴砕水噴霧化板固持Ｄ１式（１〜１０／１０）である。
【００９３】
図７１は化粧構造垂木材１２の側面に雨滴砕水噴霧化板固持Ｄ１（２、３）式自由角度対応（１／１０）化粧垂木用ブラケットプレート１１２を躯体固定用螺子釘７７で固定し、雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、緊結ボルトナットセット７９で雨滴砕水噴霧化板固持Ｄ１（２、３）式自由角度対応（１／１０）化粧垂木用ブラケットプレート１１２に仮固定し、雨滴砕水噴霧化板１６を雨滴砕水噴霧化板固持Ａ１、Ｂ１、Ｃ１、Ｄ１式下材３０に乗せ、雨滴砕水噴霧化板固持Ａ１（２）、Ｂ１、Ｃ１、Ｄ１式上材２９と押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ｄ１（２、３）式自由角度対応（１／１０）化粧垂木用ブラケットプレート１１２に弧状に加工されたガイドに沿い回転し任意希望位置で緊結ボルトナットセット７９を締めて固定する。
【００９４】
図７２は化粧構造垂木材１２の側面に雨滴砕水噴霧化板固持Ｄ１（２、３）式自由角度対応（７／１０）化粧垂木用ブラケットプレート１１４を躯体固定用螺子釘７７で固定し、雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、緊結ボルトナットセット７９で雨滴砕水噴霧化板固持Ｄ１（２、３）式自由角度対応（７／１０）化粧垂木用ブラケットプレート１１４に仮固定し、雨滴砕水噴霧化板１６を雨滴砕水噴霧化板固持Ａ１、Ｂ１、Ｃ１、Ｄ１式下材３０に乗せ、雨滴砕水噴霧化板固持Ａ１（２）、Ｂ１、Ｃ１、Ｄ１式上材２９と押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ｄ１（２、３）式自由角度対応（７／１０）化粧垂木用ブラケットプレート１１４に弧状に加工されたガイドに沿い回転し任意希望位置で緊結ボルトナットセット７９を締めて固定する。
【００９５】
図７３は化粧構造垂木材１２の側面に雨滴砕水噴霧化板固持Ｄ１（２、３）式自由角度対応（１０／１０）化粧垂木用ブラケットプレート１１５を躯体固定用螺子釘７７で固定し、雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、緊結ボルトナットセット７９で雨滴砕水噴霧化板固持Ｄ１（２、３）式自由角度対応（１０／１０）化粧垂木用ブラケットプレート１１５に仮固定し、雨滴砕水噴霧化板１６を雨滴砕水噴霧化板固持Ａ１、Ｂ１、Ｃ１、Ｄ１式下材３０に乗せ、雨滴砕水噴霧化板固持Ａ１（２）、Ｂ１、Ｃ１、Ｄ１式上材２９と押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ｄ１（２、３）式自由角度対応（１０／１０）化粧垂木用ブラケットプレート１１５に弧状に加工されたガイドに沿い回転し任意希望位置で緊結ボルトナットセット７９を締めて固定する。
【００９６】
図７４は化粧構造垂木材１２の側面に雨滴砕水噴霧化板固持Ｄ１（２、３）式自由角度対応（４／１０）化粧垂木用ブラケットプレート１１３を躯体固定用螺子釘７７で固定し、雨滴砕水噴霧化板固持Ａ１、Ｃ１、Ｄ１式自在角度支持リブ４５に固定ナットＡ８０を内蔵した雨滴砕水噴霧化板固持Ａ１、Ｂ１、Ｃ１、Ｄ１式下材３０を固着し、緊結ボルトナットセット７９で雨滴砕水噴霧化板固持Ｄ１（２、３）式自由角度対応（４／１０）化粧垂木用ブラケットプレート１１３に仮固定し、雨滴砕水噴霧化板１６を雨滴砕水噴霧化板固持Ａ１、Ｂ１、Ｃ１、Ｄ１式下材３０に乗せ、雨滴砕水噴霧化板固持Ａ１（２）、Ｂ１、Ｃ１、Ｄ１式上材２９と押し螺子７８で雨滴砕水噴霧化板固持Ａ１、Ｂ１、Ｃ１、Ｄ１式下材３０に挟み雨滴砕水噴霧化板固持Ａ１、Ｂ１、Ｃ１、Ｄ１式下材３０に固定した図である。微小角度調整は雨滴砕水噴霧化板固持Ａ１、Ｃ１、Ｄ１式自在角度支持リブ４５上部緊結ボルトナットセット７９を回転軸として下部緊結ボルトナットセット７９を緩め、雨滴砕水噴霧化板固持Ｄ１（２、３）式自由角度対応（４／１０）化粧垂木用ブラケットプレート１１３に弧状に加工されたガイドに沿い回転し任意希望位置で緊結ボルトナットセット７９を締めて固定する。Ａ４９−Ａ４９矢視図は雨滴砕水噴霧化板１６を配置した装着状態図であり、Ａ５０−Ａ５０矢視図は断面概要を表している。Ａ５１−Ａ５１矢視図は雨滴砕水噴霧化板１６の端部に雨滴砕水噴霧化板集合端部固定板９０度２７を固着した装着状態図である。雨滴砕水噴霧化板固持Ａ１（２）、Ｂ１、Ｃ１、Ｄ１式上材２９及び雨滴砕水噴霧化板固持Ａ１、Ｂ１、Ｃ１、Ｄ１式下材３０に内蔵されている位置確保捨て材Ａ７６によって左右の雨滴砕水噴霧化板集合端部固定板９０度２７は一定距離を保っている。Ａ５２−Ａ５２矢視図では、化粧構造垂木材１２と雨滴砕水噴霧化板固持Ｄ１（２、３）式自由角度対応（１〜１０／１０）化粧垂木用ブラケットプレート１１２〜１１５と雨滴砕水噴霧化板固持Ａ１、Ｃ１、Ｄ１式自在角度支持リブ４５の関係状態図である。
【００９７】
図７５は雨滴砕水噴霧化板固持Ｄ１式（１〜１０／１０）概要図・図７１〜７４の平面１概要図である。雨滴砕水噴霧化板１６の端部は自由状態で配置使用されている状態で、雨滴砕水噴霧化板１６の強度アップ及び変形防止例として後付雨滴砕水噴霧化板固定金具Ａ８３と後付雨滴砕水噴霧化板固定金具Ｂ８４を配した関係状態図である。実施時は積雪荷重及び雨滴砕水噴霧化板固持Ｄ１（２、３）式自由角度対応（１〜１０／１０）化粧垂木用ブラケットプレート１１２〜１１５の配置状況により後付雨滴砕水噴霧化板固定金具Ａ８３と後付雨滴砕水噴霧化板固定金具Ｂ８４の適正配置を決定するものとする。
【００９８】
図７６は雨滴砕水噴霧化板固持Ｄ１式（１〜１０／１０）概要図・図７１〜７４の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図である。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ｄ１（２、３）式自由角度対応（１〜１０／１０）化粧垂木用ブラケットプレート１１２〜１１５の配置状況により後付雨滴砕水噴霧化板固定金具Ａ８３と後付雨滴砕水噴霧化板固定金具Ｂ８４の適正配置を決定するものとする。
【実施例１５】
【００９９】
金属屋根状態の化粧構造垂木材１２の側面に雨滴砕水噴霧化板固持Ｄ１（２、３）自由角度対応（１〜１０／１０）化粧垂木用ブラケットプレート１１２〜１１５を躯体固定用螺子釘７７で固定した雨滴砕水噴霧化板固持Ｄ２式（１〜１０／１０）である。
【０１００】
図７７は化粧構造垂木材１２の側面に雨滴砕水噴霧化板固持Ｄ１（２、３）式自由角度対応（１／１０）化粧垂木用ブラケットプレート１１２を躯体固定用螺子釘７７で固定し、雨滴砕水噴霧化板固持Ａ３、Ｃ２、Ｄ２式自在角度支持リブ４６に固定ナットＢ８２を内蔵した雨滴砕水噴霧化板固持Ａ３、Ｂ２、Ｃ２、Ｄ２式下材３２を固着し、緊結ボルトナットセット７９で雨滴砕水噴霧化板固持Ｄ１（２、３）式自由角度対応（１／１０）化粧垂木用ブラケットプレート１１２に仮固定し、雨滴砕水噴霧化板１６を雨滴砕水噴霧化板固持Ａ３、Ｂ２、Ｃ２、Ｄ２式下材３２に乗せ、雨滴砕水噴霧化板固持Ａ３（４）、Ｂ２、Ｃ２、Ｄ２式上材３１と押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ｄ１（２、３）式自由角度対応（１／１０）化粧垂木用ブラケットプレート１１２に弧状に加工されたガイドに沿い回転し任意希望位置で緊結ボルトナットセット７９を締めて固定する。
【０１０１】
図７８は化粧構造垂木材１２の側面に雨滴砕水噴霧化板固持Ｄ１（２、３）式自由角度対応（７／１０）化粧垂木用ブラケットプレート１１４を躯体固定用螺子釘７７で固定し、雨滴砕水噴霧化板固持Ａ３、Ｃ２、Ｄ２式自在角度支持リブ４６に固定ナットＢ８２を内蔵した雨滴砕水噴霧化板固持Ａ３、Ｂ２、Ｃ２、Ｄ２式下材３２を固着し、緊結ボルトナットセット７９で雨滴砕水噴霧化板固持Ｄ１（２、３）式自由角度対応（７／１０）化粧垂木用ブラケットプレート１１４に仮固定し、雨滴砕水噴霧化板１６を雨滴砕水噴霧化板固持Ａ３、Ｂ２、Ｃ２、Ｄ２式下材３２に乗せ、雨滴砕水噴霧化板固持Ａ３（４）、Ｂ２、Ｃ２、Ｄ２式上材３１と押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ｄ１（２、３）式自由角度対応（７／１０）化粧垂木用ブラケットプレート１１４に弧状に加工されたガイドに沿い回転し任意希望位置で緊結ボルトナットセット７９を締めて固定する。
【０１０２】
図７９は化粧構造垂木材１２の側面に雨滴砕水噴霧化板固持Ｄ１（２、３）式自由角度対応（１０／１０）化粧垂木用ブラケットプレート１１５を躯体固定用螺子釘７７で固定し、雨滴砕水噴霧化板固持Ａ３、Ｃ２、Ｄ２式自在角度支持リブ４６に固定ナットＢ８２を内蔵した雨滴砕水噴霧化板固持Ａ３、Ｂ２、Ｃ２、Ｄ２式下材３２を固着し、緊結ボルトナットセット７９で雨滴砕水噴霧化板固持Ｄ１（２、３）式自由角度対応（１０／１０）化粧垂木用ブラケットプレート１１５に仮固定し、雨滴砕水噴霧化板１６を雨滴砕水噴霧化板固持Ａ３、Ｂ２、Ｃ２、Ｄ２式下材３２に乗せ、雨滴砕水噴霧化板固持Ａ３（４）、Ｂ２、Ｃ２、Ｄ２式上材３１と押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ｄ１（２、３）式自由角度対応（１０／１０）化粧垂木用ブラケットプレート１１５に弧状に加工されたガイドに沿い回転し任意希望位置で緊結ボルトナットセット７９を締めて固定する。
【０１０３】
図８０は化粧構造垂木材１２の側面に雨滴砕水噴霧化板固持Ｄ１（２、３）式自由角度対応（４／１０）化粧垂木用ブラケットプレート１１３を躯体固定用螺子釘７７で固定し、雨滴砕水噴霧化板固持Ａ３、Ｃ２、Ｄ２式自在角度支持リブ４６に固定ナットＢ８２を内蔵した雨滴砕水噴霧化板固持Ａ３、Ｂ２、Ｃ２、Ｄ２式下材３２を固着し、緊結ボルトナットセット７９で雨滴砕水噴霧化板固持Ｄ１（２、３）式自由角度対応（４／１０）化粧垂木用ブラケットプレート１１３に仮固定し、雨滴砕水噴霧化板１６を雨滴砕水噴霧化板固持Ａ３、Ｂ２、Ｃ２、Ｄ２式下材３２に乗せ、雨滴砕水噴霧化板固持Ａ３（４）、Ｂ２、Ｃ２、Ｄ２式上材３１と押し螺子７８で雨滴砕水噴霧化板固持Ａ３、Ｂ２、Ｃ２、Ｄ２式下材３２に挟み雨滴砕水噴霧化板固持Ａ３、Ｂ２、Ｃ２、Ｄ２式下材３２に固定した図である。微小角度調整は雨滴砕水噴霧化板固持Ａ３、Ｃ２、Ｄ２式自在角度支持リブ４６上部緊結ボルトナットセット７９を回転軸として下部緊結ボルトナットセット７９を緩め、雨滴砕水噴霧化板固持Ｄ１（２、３）式自由角度対応（４／１０）化粧垂木用ブラケットプレート１１３に弧状に加工されたガイドに沿い回転し任意希望位置で緊結ボルトナットセット７９を締めて固定する。Ａ５３−Ａ５３矢視図は雨滴砕水噴霧化板１６の端部に雨滴砕水噴霧化板集合端部固定板９０度２７を固着した装着状態図である。雨滴砕水噴霧化板固持Ａ３（４）、Ｂ２、Ｃ２、Ｄ２式上材３１及び雨滴砕水噴霧化板固持Ａ３、Ｂ２、Ｃ２、Ｄ２式下材３２に内蔵されている位置確保捨て材Ａ７６によって左右の雨滴砕水噴霧化板集合端部固定板９０度２７は一定距離を保っている。Ａ５４−Ａ５４矢視図は断面概要を表している。Ａ５５−Ａ５５矢視図は化粧構造垂木材１２と雨滴砕水噴霧化板固持Ｄ１（２、３）式自由角度対応（１〜１０／１０）化粧垂木用ブラケットプレート１１２〜１１５と雨滴砕水噴霧化板固持Ａ３、Ｃ２、Ｄ２式自在角度支持リブ４６の関係状態図である。
【０１０４】
図８１は雨滴砕水噴霧化板固持Ｄ２式（１〜１０／１０）概要図・図７７〜８０の平面２概要図である。雨滴砕水噴霧化板１６の端部に雨滴砕水噴霧化板集合端部固定板９０度２７及び雨滴砕水噴霧化板集合端部固定板４５度２８を固着した状態で雨滴砕水噴霧化板集合定尺両端固定板付セット１８、雨滴砕水噴霧化板集合入隅左両端固定板付セット１９、雨滴砕水噴霧化板集合入隅右両端固定板付セット２０、雨滴砕水噴霧化板集合出隅左両端固定板付セット２３、雨滴砕水噴霧化板集合出隅右両端固定板付セット２４を配置使用している関係状態図である。雨滴砕水噴霧化板１６の強度アップ及び変形防止例として後付雨滴砕水噴霧化板固定金具Ａ８３と後付雨滴砕水噴霧化板固定金具Ｂ８４及び出入隅部に後付雨滴砕水噴霧化板固定金具Ｃ９６を必要に応じ配置した関係状態図である。実施時は積雪荷重及び雨滴砕水噴霧化板固持Ｄ１（２、３）式自由角度対応（１〜１０／１０）化粧垂木用ブラケットプレート１１２〜１１５の配置状況により後付雨滴砕水噴霧化板固定金具Ａ８３と後付雨滴砕水噴霧化板固定金具Ｂ８４の適正配置を決定するものとする。
【実施例１６】
【０１０５】
金属屋根状態の化粧構造垂木材１２の側面に雨滴砕水噴霧化板固持Ｄ１（２、３）式自由角度対応（１〜１０／１０）化粧垂木用ブラケットプレート１１２〜１１５を躯体固定用螺子釘７７で固定した雨滴砕水噴霧化板固持Ｄ３式（１〜１０／１０）である。
【０１０６】
図８２は、段付き隙間確保鋲８８で固定された２枚の雨滴砕水噴霧化板固持Ａ５、Ｃ３、Ｄ３式下材５９に
小判型軸加工ボルトナットセット８１を挿入し緊結ボルトナットセット７９で固定した組み付け品を雨滴砕水噴霧化板固持Ｄ１（２、３）式自由角度対応（１／１０）化粧垂木用ブラケットプレート１１２に緊結ボルトナットセット７９で組み付けし、化粧構造垂木材１２の側面に躯体固定用螺子釘７７で雨滴砕水噴霧化板固持Ｄ１（２、３）式自由角度対応（１／１０）化粧垂木用ブラケットプレート１１２を所定の位置に固定する。雨滴砕水噴霧化板１６を雨滴砕水噴霧化板固持Ａ５、Ｃ３、Ｄ３式下材５９に乗せ、後付雨滴砕水噴霧化板固定金具Ｂ上材８５と後付雨滴砕水噴霧化板固定金具Ｂ上刃材８６の組み付け品と小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ｄ１（２、３）式自由角度対応（１／１０）化粧垂木用ブラケットプレート１１２に弧状に加工されたガイドに沿い回転し任意希望位置で緊結ボルトナットセット７９を締めて固定する。
【０１０７】
図８３は、段付き隙間確保鋲８８で固定された２枚の雨滴砕水噴霧化板固持Ａ５、Ｃ３、Ｄ３式下材５９に
小判型軸加工ボルトナットセット８１を挿入し緊結ボルトナットセット７９で固定した組み付け品を雨滴砕水噴霧化板固持Ｄ１（２、３）式自由角度対応（７／１０）化粧垂木用ブラケットプレート１１４に緊結ボルトナットセット７９で組み付けし、化粧構造垂木材１２の側面に躯体固定用螺子釘７７で雨滴砕水噴霧化板固持Ｄ１（２、３）式自由角度対応（７／１０）化粧垂木用ブラケットプレート１１４を所定の位置に固定する。雨滴砕水噴霧化板１６を雨滴砕水噴霧化板固持Ａ５、Ｃ３、Ｄ３式下材５９に乗せ、後付雨滴砕水噴霧化板固定金具Ｂ上材８５と後付雨滴砕水噴霧化板固定金具Ｂ上刃材８６の組み付け品と小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ｄ１（２、３）式自由角度対応（７／１０）化粧垂木用ブラケットプレート１１４に弧状に加工されたガイドに沿い回転し任意希望位置で緊結ボルトナットセット７９を締めて固定する。
【０１０８】
図８４は、段付き隙間確保鋲８８で固定された２枚の雨滴砕水噴霧化板固持Ａ５、Ｃ３、Ｄ３式下材５９に
小判型軸加工ボルトナットセット８１を挿入し緊結ボルトナットセット７９で固定した組み付け品を雨滴砕水噴霧化板固持Ｄ１（２、３）自由角度対応（１０／１０）化粧垂木用ブラケットプレート１１５に緊結ボルトナットセット７９で組み付けし、化粧構造垂木材１２の側面に躯体固定用螺子釘７７で雨滴砕水噴霧化板固持Ｄ１（２、３）自由角度対応（１０／１０）化粧垂木用ブラケットプレート１１５を所定の位置に固定する。雨滴砕水噴霧化板１６を雨滴砕水噴霧化板固持Ａ５、Ｃ３、Ｄ３式下材５９に乗せ、後付雨滴砕水噴霧化板固定金具Ｂ上材８５と後付雨滴砕水噴霧化板固定金具Ｂ上刃材８６の組み付け品と小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ｄ１（２、３）自由角度対応（１０／１０）化粧垂木用ブラケットプレート１１５に弧状に加工されたガイドに沿い回転し任意希望位置で緊結ボルトナットセット７９を締めて固定する。
【０１０９】
図８５は、段付き隙間確保鋲８８で固定された２枚の雨滴砕水噴霧化板固持Ａ５、Ｃ３、Ｄ３式下材５９に
小判型軸加工ボルトナットセット８１を挿入し緊結ボルトナットセット７９で固定した組み付け品を雨滴砕水噴霧化板固持Ｄ１（２、３）自由角度対応（４／１０）化粧垂木用ブラケットプレート１１３に緊結ボルトナットセット７９で組み付けし、化粧構造垂木材１２の側面に躯体固定用螺子釘７７で雨滴砕水噴霧化板固持Ｄ１（２、３）自由角度対応（４／１０）化粧垂木用ブラケットプレート１１３を所定の位置に固定する。雨滴砕水噴霧化板１６を雨滴砕水噴霧化板固持Ａ５、Ｃ３、Ｄ３式下材５９に乗せ、後付雨滴砕水噴霧化板固定金具Ｂ上材８５と後付雨滴砕水噴霧化板固定金具Ｂ上刃材８６の組み付け品と小判型軸加工ボルトナットセット８１で雨滴砕水噴霧化板固持Ａ５、Ｃ３、Ｄ３式下材５９に挟み雨滴砕水噴霧化板固持Ａ５、Ｃ３、Ｄ３式下材５９に固定した図である。微小角度調整は雨滴砕水噴霧化板固持Ａ５、Ｃ３、Ｄ３式下材５９上部緊結ボルトナットセット７９を回転軸として下部緊結ボルトナットセット７９を緩め、雨滴砕水噴霧化板固持Ｄ１（２、３）自由角度対応（４／１０）化粧垂木用ブラケットプレート１１３に弧状に加工されたガイドに沿い回転し任意希望位置で緊結ボルトナットセット７９を締めて固定する。Ａ５６−Ａ５６矢視図は雨滴砕水噴霧化板１６を使用した装着状態図である。Ａ５７−Ａ５７及びＡ５８−Ａ５８矢視図は断面概要を表している。Ａ５９−Ａ５９矢視図は化粧構造垂木材１２と雨滴砕水噴霧化板固持Ｄ１（２、３）式自由角度対応（１〜１０／１０）化粧垂木用ブラケットプレート１１２〜１１５と雨滴砕水噴霧化板固持Ａ５、Ｃ３、Ｄ３式下材５９の関係状態図である。
【０１１０】
図８６は雨滴砕水噴霧化板固持Ｄ３式（１〜１０／１０）概要図・図７１〜７４の平面１概要図である。雨滴砕水噴霧化板１６の端部は自由状態で配置使用されている状態で、雨滴砕水噴霧化板１６の強度アップ及び変形防止例として後付雨滴砕水噴霧化板固定金具Ａ８３と後付雨滴砕水噴霧化板固定金具Ｂ８４を配した関係状態図である。実施時は積雪荷重及び雨滴砕水噴霧化板固持Ｄ１（２、３）式自由角度対応（１〜１０／１０）化粧垂木用ブラケットプレート１１２〜１１５の配置状況により後付雨滴砕水噴霧化板固定金具Ａ８３と後付雨滴砕水噴霧化板固定金具Ｂ８４の適正配置を決定するものとする。
【図面の簡単な説明】
【０１１１】
【図１】雨滴砕水噴霧化固持Ａ１式（１／１０）の概要図
【図２】雨滴砕水噴霧化固持Ａ１式（７／１０）の概要図
【図３】雨滴砕水噴霧化固持Ａ１式（１０／１０）の概要図
【図４】雨滴砕水噴霧化固持Ａ１式（４／１０）の概要図
【図５】雨滴砕水噴霧化固持Ａ１式（１〜１０／１０）のＡ１（３）矢視図
【図６】雨滴砕水噴霧化固持Ａ１式（１〜１０／１０）のＡ２矢視図
【図７】雨滴砕水噴霧化固持Ａ１式（１〜１０／１０）のＡ４矢視図
【図８】雨滴砕水噴霧化固持Ａ１式（１〜１０／１０）の平面１概要図
【図９】雨滴砕水噴霧化固持Ａ１式（１〜１０／１０）の平面２概要図
【図１０】雨滴砕水噴霧化固持Ａ２式（１／１０）の概要図
【図１１】雨滴砕水噴霧化固持Ａ２式（７／１０）の概要図
【図１２】雨滴砕水噴霧化固持Ａ２式（１０／１０）の概要図
【図１３】雨滴砕水噴霧化固持Ａ２式（３／１０）の概要図及びＡ５（６、７、８）矢視図
【図１４】雨滴砕水噴霧化固持Ａ２式（１〜１０／１０）の平面１概要図
【図１５】雨滴砕水噴霧化固持Ａ２式（１〜１０／１０）の平面２概要図
【図１６】雨滴砕水噴霧化固持Ａ３式（１／１０）の概要図
【図１７】雨滴砕水噴霧化固持Ａ３式（７／１０）の概要図
【図１８】雨滴砕水噴霧化固持Ａ３式（１０／１０）の概要図
【図１９】雨滴砕水噴霧化固持Ａ３式（４／１０）の概要図及びＡ９（１０、１１）矢視図
【図２０】雨滴砕水噴霧化固持Ａ３式（１〜１０／１０）の平面２概要図
【図２１】雨滴砕水噴霧化固持Ａ４式（１／１０）の概要図
【図２２】雨滴砕水噴霧化固持Ａ４式（７／１０）の概要図
【図２３】雨滴砕水噴霧化固持Ａ４式（１０／１０）の概要図
【図２４】雨滴砕水噴霧化固持Ａ４式（３／１０）の概要図及びＡ１２（１３、１４）矢視図
【図２５】雨滴砕水噴霧化固持Ａ４式（１〜１０／１０）の平面２概要図
【図２６】雨滴砕水噴霧化固持Ａ５式（１／１０）の概要図
【図２７】雨滴砕水噴霧化固持Ａ５式（７／１０）の概要図
【図２８】雨滴砕水噴霧化固持Ａ５式（１０／１０）の概要図
【図２９】雨滴砕水噴霧化固持Ａ５式（４／１０）の概要図及びＡ１５（１６、１７、１８）矢視図
【図３０】雨滴砕水噴霧化固持Ａ５式（１〜１０／１０）の平面１概要図
【図３１】雨滴砕水噴霧化固持Ａ６式（１／１０）の概要図
【図３２】雨滴砕水噴霧化固持Ａ６式（７／１０）の概要図
【図３３】雨滴砕水噴霧化固持Ａ６式（１０／１０）の概要図
【図３４】雨滴砕水噴霧化固持Ａ６式（４／１０）の概要図及びＡ１９（２０、２１、２２）矢視図
【図３５】雨滴砕水噴霧化固持Ａ６式（１〜１０／１０）の平面１概要図
【図３６】雨滴砕水噴霧化固持Ｂ１式（１／１０）の概要図
【図３７】雨滴砕水噴霧化固持Ｂ１式（７／１０）の概要図
【図３８】雨滴砕水噴霧化固持Ｂ１式（１０／１０）の概要図
【図３９】雨滴砕水噴霧化固持Ｂ１式（４／１０）の概要図及びＡ２３（２４、２５、２６）矢視図
【図４０】雨滴砕水噴霧化固持Ｂ１式（１〜１０／１０）の平面１概要図
【図４１】雨滴砕水噴霧化固持Ｂ１式（１〜１０／１０）の平面２概要図
【図４２】雨滴砕水噴霧化固持Ｂ２式（１／１０）の概要図
【図４３】雨滴砕水噴霧化固持Ｂ２式（７／１０）の概要図
【図４４】雨滴砕水噴霧化固持Ｂ２式（１０／１０）の概要図
【図４５】雨滴砕水噴霧化固持Ｂ２式（４／１０）の概要図及びＡ２７（２８、２９）矢視図
【図４６】雨滴砕水噴霧化固持Ｂ２式（１〜１０／１０）の平面２概要図
【図４７】雨滴砕水噴霧化固持Ｂ３式（１／１０）の概要図
【図４８】雨滴砕水噴霧化固持Ｂ３式（７／１０）の概要図
【図４９】雨滴砕水噴霧化固持Ｂ３式（１０／１０）の概要図
【図５０】雨滴砕水噴霧化固持Ｂ３式（４／１０）の概要図及びＡ３０（３１、３２、３３）矢視図
【図５１】雨滴砕水噴霧化固持Ｂ３式（１〜１０／１０）の平面１概要図
【図５２】雨滴砕水噴霧化固持Ｃ１式（１／１０）の概要図
【図５３】雨滴砕水噴霧化固持Ｃ１式（７／１０）の概要図
【図５４】雨滴砕水噴霧化固持Ｃ１式（１０／１０）の概要図
【図５５】雨滴砕水噴霧化固持Ｃ１式（４／１０）の概要図及びＡ３４（３５、３６、３７）矢視図
【図５６】雨滴砕水噴霧化固持Ｃ１式（１〜１０／１０）の平面１概要図
【図５７】雨滴砕水噴霧化固持Ｃ１式（１〜１０／１０）の平面２概要図
【図５８】雨滴砕水噴霧化固持Ｃ２式（１／１０）の概要図
【図５９】雨滴砕水噴霧化固持Ｃ２式（７／１０）の概要図
【図６０】雨滴砕水噴霧化固持Ｃ２式（１０／１０）の概要図
【図６１】雨滴砕水噴霧化固持Ｃ２式（４／１０）の概要図及びＡ３８（３９、４０）矢視図
【図６２】雨滴砕水噴霧化固持Ｃ２式（１〜１０／１０）の平面２概要図
【図６３】雨滴砕水噴霧化固持Ｃ３式（１／１０）の概要図
【図６４】雨滴砕水噴霧化固持Ｃ３式（７／１０）の概要図
【図６５】雨滴砕水噴霧化固持Ｃ３式（１０／１０）の概要図
【図６６】雨滴砕水噴霧化固持Ｃ３式（４／１０）の概要図及びＡ４１（４２、４３、４４）矢視図
【図６７】雨滴砕水噴霧化固持Ｃ３式（１〜１０／１０）の平面１概要図
【図６８】雨滴砕水噴霧化固持板集合入隅部の概要図Ａ４５（４６）矢視図
【図６９】雨滴砕水噴霧化固持板集合出隅部の概要図Ａ４７（４８）矢視図
【図７０】雨滴砕水噴霧化板重ね長手継ぎ部分（雨滴砕水噴霧化固持Ａ６式（７／１０））の概要図
【図７１】雨滴砕水噴霧化固持Ｄ１式（１／１０）の概要図
【図７２】雨滴砕水噴霧化固持Ｄ１式（７／１０）の概要図
【図７３】雨滴砕水噴霧化固持Ｄ１式（１０／１０）の概要図
【図７４】雨滴砕水噴霧化固持Ｄ１式（４／１０）の概要図及びＡ４９（５０、５１、５２）矢視図
【図７５】雨滴砕水噴霧化固持Ｄ１式（１〜１０／１０）の平面１概要図
【図７６】雨滴砕水噴霧化固持Ｄ１式（１〜１０／１０）の平面２概要図
【図７７】雨滴砕水噴霧化固持Ｄ２式（１／１０）の概要図
【図７８】雨滴砕水噴霧化固持Ｄ２式（７／１０）の概要図
【図７９】雨滴砕水噴霧化固持Ｄ２式（１０／１０）の概要図
【図８０】雨滴砕水噴霧化固持Ｄ２式（４／１０）の概要図及びＡ５３（５４、５５）矢視図
【図８１】雨滴砕水噴霧化固持Ｄ２式（１〜１０／１０）の平面２概要図
【図８２】雨滴砕水噴霧化固持Ｄ３式（１／１０）の概要図
【図８３】雨滴砕水噴霧化固持Ｄ３式（７／１０）の概要図
【図８４】雨滴砕水噴霧化固持Ｄ３式（１０／１０）の概要図
【図８５】雨滴砕水噴霧化固持Ｄ３式（４／１０）の概要図及びＡ５６（５７、５８、５９）矢視図
【図８６】雨滴砕水噴霧化固持Ｄ３式（１〜１０／１０）の平面１概要図
【図８７】雨滴砕水噴霧化板１６の概要図
【図８８】雨滴砕水噴霧化板固定部厚み補完板１７の概要図
【図８９】雨滴砕水噴霧化板集合定尺両端固定板付セット１８の概要図
【図９０】雨滴砕水噴霧化板集合入隅左両端固定板付セット１９の概要図
【図９１】雨滴砕水噴霧化板集合入隅右両端固定板付セット２０の概要図
【図９２】雨滴砕水噴霧化板集合入隅左・左自由右端固定板付セット２１の概要図
【図９３】雨滴砕水噴霧化板集合入隅右・右自由左端固定板付セット２２の概要図
【図９４】雨滴砕水噴霧化板集合出隅左両端固定板付セット２３の概要図
【図９５】雨滴砕水噴霧化板集合出隅右両端固定板付セット２４の概要図
【図９６】雨滴砕水噴霧化板集合出隅左・左自由右端固定板付セット２５の概要図
【図９７】雨滴砕水噴霧化板集合出隅右・右自由左端固定板付セット２６の概要図
【図９８】雨滴砕水噴霧化板集合端部固定板９０度２７の概要図
【図９９】雨滴砕水噴霧化板集合端部固定板４５度２８の概要図
【図１００】雨滴砕水噴霧化板固持Ａ１（２）、Ｂ１、Ｃ１、Ｄ１式上材２９の概要図
【図１０１】雨滴砕水噴霧化板固持Ａ１、Ｂ１、Ｃ１、Ｄ１式下材３０の概要図
【図１０２】雨滴砕水噴霧化板固持Ａ３（４）、Ｂ２、Ｃ２、Ｄ２式上材３１の概要図
【図１０３】雨滴砕水噴霧化板固持Ａ３、Ｂ２、Ｃ２、Ｄ２式下材３２の概要図
【図１０４】雨滴砕水噴霧化板固持Ａ２式下材固定角度（１／１０）３３の概要図
【図１０５】雨滴砕水噴霧化板固持Ａ２（４）式対応ブラケット固定角度（１／１０）３４の概要図
【図１０６】雨滴砕水噴霧化板固持Ａ２式下材固定角度（７／１０）３５の概要図
【図１０７】雨滴砕水噴霧化板固持Ａ２（４）式対応ブラケット固定角度（７／１０）３６の概要図
【図１０８】雨滴砕水噴霧化板固持Ａ２式下材固定角度（３／１０）３７の概要図
【図１０９】雨滴砕水噴霧化板固持Ａ２（４）式対応ブラケット固定角度（３／１０）３８の概要図
【図１１０】雨滴砕水噴霧化板固持Ａ２式下材固定角度（１０／１０）３９の概要図
【図１１１】雨滴砕水噴霧化板固持Ａ２（４）式対応ブラケット固定角度（１０／１０）４０の概要図
【図１１２】雨滴砕水噴霧化板固持Ａ６式ブラケット兼用下材固定角度（１／１０）４１の概要図
【図１１３】雨滴砕水噴霧化板固持Ａ６式ブラケット兼用下材固定角度（４／１０）４２の概要図
【図１１４】雨滴砕水噴霧化板固持Ａ６式ブラケット兼用下材固定角度（７／１０）４３の概要図
【図１１５】雨滴砕水噴霧化板固持Ａ６式ブラケット兼用下材固定角度（１０／１０）４４の概要図
【図１１６】雨滴砕水噴霧化板固持Ａ１、Ｃ１、Ｄ１式自在角度支持リブ４５の概要図
【図１１７】雨滴砕水噴霧化板固持Ａ３、Ｃ２、Ｄ２式自在角度支持リブ４６の概要図
【図１１８】雨滴砕水噴霧化板固持Ａ１（３、５），Ｃ１（２、３）式自在角度対応（１／１０）ブラケットベースセット４７の概要図
【図１１９】雨滴砕水噴霧化板固持Ａ１（３、５），Ｃ１（２、３）式自在角度対応（１／１０）ブラケット４８の概要図
【図１２０】雨滴砕水噴霧化板固持Ａ１（３、５），Ｃ１（２、３）式自在角度対応（４／１０）ブラケットベースセット４９の概要図
【図１２１】雨滴砕水噴霧化板固持Ａ１（３、５），Ｃ１（２、３）式自在角度対応（４／１０）ブラケット５０の概要図
【図１２２】雨滴砕水噴霧化板固持Ａ１（３、５），Ｃ１（２、３）式自在角度対応（７／１０）ブラケットベースセット５１の概要図
【図１２３】雨滴砕水噴霧化板固持Ａ１（３、５），Ｃ１（２、３）式自在角度対応（７／１０）ブラケット５２の概要図
【図１２４】雨滴砕水噴霧化板固持Ａ１（３、５），Ｃ１（２、３）式自在角度対応（１０／１０）ブラケットベースセット５３の概要図
【図１２５】雨滴砕水噴霧化板固持Ａ１（３、５），Ｃ１（２、３）式自在角度対応（１０／１０）ブラケット５４の概要図
【図１２６】雨滴砕水噴霧化板固持Ａ１（３、５）、Ｃ１（２、３）式自在角度（１／１０）対応軸受け材５５の概要図
【図１２７】雨滴砕水噴霧化板固持Ａ１（３、５）、Ｃ１（２、３）式自在角度（４／１０）対応軸受け材５６の概要図
【図１２８】雨滴砕水噴霧化板固持Ａ１（３、５）、Ｃ１（２、３）式自在角度（７／１０）対応軸受け材５７の概要図
【図１２９】雨滴砕水噴霧化板固持Ａ１（３、５）、Ｃ１（２、３）式自在角度（１０／１０）対応軸受け材５８の概要図
【図１３０】雨滴砕水噴霧化板固持Ａ５、Ｃ３、Ｄ３式下材５９の概要図
【図１３１】雨滴砕水噴霧化板固持ベース板Ａ１（３、５）、Ｃ１（２、３）式用６０の概要図
【図１３２】雨滴砕水噴霧化板固持Ａ４式下材固定角度（１／１０）６１の概要図
【図１３３】雨滴砕水噴霧化板固持Ａ４式下材固定角度（７・１０／１０）６２の概要図
【図１３４】雨滴砕水噴霧化板固持Ａ４式下材固定角度（３／１０）６１の概要図
【図１３５】雨滴砕水噴霧化板固持Ｂ１式下材固定角度（１・４／１０）ブラケットベースセット６４の概要図
【図１３６】雨滴砕水噴霧化板固持Ｂ１式下材固定角度（１〜１０／１０）ブラケット６５の概要図
【図１３７】雨滴砕水噴霧化板固持Ｂ１式下材固定角度（７・１０／１０）ブラケットベースセット６６の概要図
【図１３８】雨滴砕水噴霧化板固持Ｂ２式下材固定角度（１・４／１０）ブラケットベースセット６７の概要図
【図１３９】雨滴砕水噴霧化板固持Ｂ２式下材固定角度（７・１０／１０）ブラケットベースセット６８の概要図
【図１４０】雨滴砕水噴霧化板固持ベース板Ｂ１（２、３）式用６９の概要図
【図１４１】雨滴砕水噴霧化板固持Ｂ３式ブラケット兼用下材固定角度（１・４／１０）７０の概要図
【図１４２】雨滴砕水噴霧化板固持Ｂ３式ブラケット兼用下材固定角度（７・１０／１０）７１の概要図
【図１４３】雨滴砕水噴霧化板固持Ｃ１（２、３）式垂木固定金具ベース受け材セット７２の概要図
【図１４４】雨滴砕水噴霧化板固持Ｃ１（２、３）式垂木固定金具ベース受け材７３の概要図
【図１４５】雨滴砕水噴霧化板固持Ｃ１（２、３）式垂木固定金具７４の概要図
【図１４６】雨滴砕水噴霧化板固持Ｃ１（２、３）式垂木固定金具ベース裏材７５の概要図
【図１４７】位置確保捨て材Ａ７６の概要図
【図１４８】躯体固定用螺子釘７７の概要図
【図１４９】押し螺子７８の概要図
【図１５０】緊結ボルトナットセット７９の概要図
【図１５１】固定ナットＡ８０の概要図
【図１５２】小判型軸加工ボルトナットセット８１の概要図
【図１５３】固定ナットＢ８２の概要図
【図１５４】後付雨滴砕水噴霧化板固定金具Ａ８３の概要図
【図１５５】後付雨滴砕水噴霧化板固定金具Ｂ８４の概要図
【図１５６】後付雨滴砕水噴霧化板固定金具Ｂ上材８５の概要図
【図１５７】後付雨滴砕水噴霧化板固定金具Ｂ上刃材８６の概要図
【図１５８】後付雨滴砕水噴霧化板固定金具Ｂ下刃材８７の概要図
【図１５９】段付き隙間確保鋲８８の概要図
【図１６０】後付４５度雨滴砕水噴霧化板固定金具Ａ８９の概要図
【図１６１】後付４５度雨滴砕水噴霧化板固定金具Ａ上材９０の概要図
【図１６２】後付４５度雨滴砕水噴霧化板固定金具Ａ下材９１の概要図
【図１６３】位置確保捨て材Ｂ９２の概要図
【図１６４】後付４５度雨滴砕水噴霧化板固定金具Ｂ９３の概要図
【図１６５】後付４５度雨滴砕水噴霧化板固定金具Ｂ上材９４の概要図
【図１６６】後付４５度雨滴砕水噴霧化板固定金具Ｂ下材９５の概要図
【図１６７】後付雨滴砕水噴霧化板固定金具Ｃ９６の概要図
【図１６８】後付雨滴砕水噴霧化板固定金具Ｃ上材９７の概要図
【図１６９】後付雨滴砕水噴霧化板固定金具Ｃ下材９８の概要図
【図１７０】位置確保捨て材Ｃ９９の概要図
【図１７１】後付雨滴砕水噴霧化板固定金具Ｄ１００の概要図
【図１７２】後付雨滴砕水噴霧化板固定金具Ｄ上材１０１の概要図
【図１７３】後付雨滴砕水噴霧化板固定金具Ｄ下材１０２の概要図
【図１７４】位置確保捨て材Ｄ１０３の概要図
【図１７５】小判型変形軸加工Ｄボルトナットセット１０４の概要図
【図１７６】後付雨滴砕水噴霧化板固定金具Ｅ１０５の概要図
【図１７７】後付雨滴砕水噴霧化板固定金具Ｅ上材１０６の概要図
【図１７８】後付雨滴砕水噴霧化板固定金具Ｅ下材１０７の概要図
【図１７９】小判型変形軸加工Ｅボルトナットセット１０８の概要図
【図１８０】雨滴砕水噴霧化板固持Ｂ２式固定角度（１〜１０／１０）ブラケット１０９の概要図
【図１８１】雨滴砕水噴霧化板固持Ｂ２式固定角度（１〜４／１０）ブラケットベースセット１１０の概要図
【図１８２】雨滴砕水噴霧化板固持Ｂ２式固定角度（７〜１０／１０）ブラケットベースセット１１１の概要図
【図１８３】雨滴砕水噴霧化板固持Ｄ１（２、３）式自由角度対応（１／１０）化粧垂木用ブラケットプレート１１２の概要図
【図１８４】雨滴砕水噴霧化板固持Ｄ１（２、３）式自由角度対応（４／１０）化粧垂木用ブラケットプレート１１３の概要図
【図１８５】雨滴砕水噴霧化板固持Ｄ１（２、３）式自由角度対応（７／１０）化粧垂木用ブラケットプレート１１４の概要図
【図１８６】雨滴砕水噴霧化板固持Ｄ１（２、３）式自由角度対応（１０／１０）化粧垂木用ブラケットプレート１１５の概要図
【符号の説明】
【０１１２】
１    金属屋根葺き材
２    野地板
３    広小舞
４    唐草
５    構造垂木
６    鼻隠し板Ａ（勾配追従）
７    鼻隠し板Ｂ（勾配追従）
８    鼻隠し板Ｃ（勾配不追従）
９    鼻隠し板Ｄ（勾配不追従）
１０    破風板
１１    軒裏仕上げ材
１２    化粧構造垂木材
１３    雨水屋根飛出部落水概要線
１４    雨水唐草下部落水概要線
１５    雨水飛出概要曲線
１６    雨滴砕水噴霧化板
１７    雨滴砕水噴霧化板固定部厚み補完板
１８    雨滴砕水噴霧化板集合定尺両端固定板付セット
１９    雨滴砕水噴霧化板集合入隅左両端固定板付セット
２０    雨滴砕水噴霧化板集合入隅右両端固定板付セット
２１    雨滴砕水噴霧化板集合入隅左・左自由右端固定板付セット
２２    雨滴砕水噴霧化板集合入隅右・右自由左端固定板付セット
２３    雨滴砕水噴霧化板集合出隅左両端固定板付セット
２４    雨滴砕水噴霧化板集合出隅右両端固定板付セット
２５    雨滴砕水噴霧化板集合出隅左・左自由右端固定板付セット
２６    雨滴砕水噴霧化板集合出隅右・右自由左端固定板付セット
２７    雨滴砕水噴霧化板集合端部固定板９０度
２８    雨滴砕水噴霧化板集合端部固定板４５度
２９    雨滴砕水噴霧化板固持Ａ１（２）、Ｂ１、Ｃ１、Ｄ１式上材
３０    雨滴砕水噴霧化板固持Ａ１、Ｂ１、Ｃ１、Ｄ１式下材
３１    雨滴砕水噴霧化板固持Ａ３（４）、Ｂ２、Ｃ２、Ｄ２式上材
３２    雨滴砕水噴霧化板固持Ａ３、Ｂ２、Ｃ２、Ｄ２式下材
３３    雨滴砕水噴霧化板固持Ａ２式下材固定角度（１／１０）
３４    雨滴砕水噴霧化板固持Ａ２（４）式対応ブラケット固定角度（１／１０）
３５    雨滴砕水噴霧化板固持Ａ２式下材固定角度（７／１０）
３６    雨滴砕水噴霧化板固持Ａ２（４）式対応ブラケット固定角度（７／１０）
３７    雨滴砕水噴霧化板固持Ａ２式下材固定角度（３／１０）
３８    雨滴砕水噴霧化板固持Ａ２（４）式対応ブラケット固定角度（３／１０）
３９    雨滴砕水噴霧化板固持Ａ２式下材固定角度（１０／１０）
４０    雨滴砕水噴霧化板固持Ａ２（４）式対応ブラケット固定角度（１０／１０）
４１    雨滴砕水噴霧化板固持Ａ６式ブラケット兼用下材固定角度（１／１０）
４２    雨滴砕水噴霧化板固持Ａ６式ブラケット兼用下材固定角度（４／１０）
４３    雨滴砕水噴霧化板固持Ａ６式ブラケット兼用下材固定角度（７／１０）
４４    雨滴砕水噴霧化板固持Ａ６式ブラケット兼用下材固定角度（１０／１０）
４５    雨滴砕水噴霧化板固持Ａ１、Ｃ１、Ｄ１式自在角度支持リブ
４６    雨滴砕水噴霧化板固持Ａ３、Ｃ２、Ｄ２式自在角度支持リブ
４７    雨滴砕水噴霧化板固持Ａ１（３、５），Ｃ１（２、３）式自在角度対応（１／１０）ブラケットベースセット
４８    雨滴砕水噴霧化板固持Ａ１（３、５），Ｃ１（２、３）式自在角度対応（１／１０）ブラケット
４９    雨滴砕水噴霧化板固持Ａ１（３、５），Ｃ１（２、３）式自在角度対応（４／１０）ブラケットベースセット
５０    雨滴砕水噴霧化板固持Ａ１（３、５），Ｃ１（２、３）式自在角度対応（４／１０）ブラケット
５１    雨滴砕水噴霧化板固持Ａ１（３、５），Ｃ１（２、３）式自在角度対応（７／１０）ブラケットベースセット
５２    雨滴砕水噴霧化板固持Ａ１（３、５），Ｃ１（２、３）式自在角度対応（７／１０）ブラケット
５３    雨滴砕水噴霧化板固持Ａ１（３、５），Ｃ１（２、３）式自在角度対応（１０／１０）ブラケットベースセット
５４    雨滴砕水噴霧化板固持Ａ１（３、５），Ｃ１（２、３）式自在角度対応（１０／１０）ブラケット
５５    雨滴砕水噴霧化板固持Ａ１（３、５）、Ｃ１（２、３）式自在角度（１／１０）対応軸受け材
５６    雨滴砕水噴霧化板固持Ａ１（３、５）、Ｃ１（２、３）式自在角度（４／１０）対応軸受け材
５７    雨滴砕水噴霧化板固持Ａ１（３、５）、Ｃ１（２、３）式自在角度（７／１０）対応軸受け材
５８    雨滴砕水噴霧化板固持Ａ１（３、５）、Ｃ１（２、３）式自在角度（１０／１０）対応軸受け材
５９    雨滴砕水噴霧化板固持Ａ５、Ｃ３、Ｄ３式下材
６０    雨滴砕水噴霧化板固持ベース板Ａ１（３、５）、Ｃ１（２、３）式用
６１    雨滴砕水噴霧化板固持Ａ４式下材固定角度（１／１０）
６２    雨滴砕水噴霧化板固持Ａ４式下材固定角度（７・１０／１０）
６３    雨滴砕水噴霧化板固持Ａ４式下材固定角度（３／１０）
６４    雨滴砕水噴霧化板固持Ｂ１式下材固定角度（１・４／１０）ブラケットベースセット
６５    雨滴砕水噴霧化板固持Ｂ１式下材固定角度（１〜１０／１０）ブラケット
６６    雨滴砕水噴霧化板固持Ｂ１式下材固定角度（７／１０）ブラケットベースセット
６７    雨滴砕水噴霧化板固持Ｂ２式下材固定角度（１・４／１０）ブラケットベースセット
６８    雨滴砕水噴霧化板固持Ｂ２式下材固定角度（７・１０／１０）ブラケットベースセット
６９    雨滴砕水噴霧化板固持ベース板Ｂ１（２、３）式用
７０    雨滴砕水噴霧化板固持Ｂ３式ブラケット兼用下材固定角度（１・４／１０）
７１    雨滴砕水噴霧化板固持Ｂ３式ブラケット兼用下材固定角度（７・１０／１０）
７２    雨滴砕水噴霧化板固持Ｃ１（２、３）式垂木固定金具ベース受け材セット
７３    雨滴砕水噴霧化板固持Ｃ１（２、３）式垂木固定金具ベース受け材
７４    雨滴砕水噴霧化板固持Ｃ１（２、３）式垂木固定金具
７５    雨滴砕水噴霧化板固持Ｃ１（２、３）式垂木固定金具ベース裏材
７６    位置確保捨て材Ａ
７７    躯体固定用螺子釘
７８    押し螺子
７９    緊結ボルトナットセット
８０    固定ナットＡ
８１    小判型軸加工ボルトナットセット
８２    固定ナットＢ
８３    後付雨滴砕水噴霧化板固定金具Ａ
８４    後付雨滴砕水噴霧化板固定金具Ｂ
８５    後付雨滴砕水噴霧化板固定金具Ｂ上材
８６    後付雨滴砕水噴霧化板固定金具Ｂ上刃材
８７    後付雨滴砕水噴霧化板固定金具Ｂ下刃材
８８    段付き隙間確保鋲
８９    後付４５度雨滴砕水噴霧化板固定金具Ａ
９０    後付４５度雨滴砕水噴霧化板固定金具Ａ上材
９１    後付４５度雨滴砕水噴霧化板固定金具Ａ下材
９２    位置確保捨て材Ｂ
９３    後付４５度雨滴砕水噴霧化板固定金具Ｂ
９４    後付４５度雨滴砕水噴霧化板固定金具Ｂ上材
９５    後付４５度雨滴砕水噴霧化板固定金具Ｂ下材
９６    後付雨滴砕水噴霧化板固定金具Ｃ
９７    後付雨滴砕水噴霧化板固定金具Ｃ上材
９８    後付雨滴砕水噴霧化板固定金具Ｃ下材
９９    位置確保捨て材Ｃ
１００    後付雨滴砕水噴霧化板固定金具Ｄ
１０１    後付雨滴砕水噴霧化板固定金具Ｄ上材
１０２    後付雨滴砕水噴霧化板固定金具Ｄ下材
１０３    位置確保捨て材Ｄ
１０４    小判型変形軸加工Ｄボルトナットセット
１０５    後付雨滴砕水噴霧化板固定金具Ｅ
１０６    後付雨滴砕水噴霧化板固定金具Ｅ上材
１０７    後付雨滴砕水噴霧化板固定金具Ｅ下材
１０８    小判型変形軸加工Ｅボルトナットセット
１０９    雨滴砕水噴霧化板固持Ｂ２式固定角度（１〜１０／１０）ブラケット
１１０    雨滴砕水噴霧化板固持Ｂ２式固定角度（１〜４／１０）ブラケットベースセット
１１１    雨滴砕水噴霧化板固持Ｂ２式固定角度（７〜１０／１０）ブラケットベースセット
１１２    雨滴砕水噴霧化板固持Ｄ１（２、３）式自由角度対応（１／１０）化粧垂木用ブラケットプレート
１１３    雨滴砕水噴霧化板固持Ｄ１（２、３）式自由角度対応（４／１０）化粧垂木用ブラケットプレート
１１４    雨滴砕水噴霧化板固持Ｄ１（２、３）式自由角度対応（７／１０）化粧垂木用ブラケットプレート
１１５    雨滴砕水噴霧化板固持Ｄ１（２、３）式自由角度対応（１０／１０）化粧垂木用ブラケットプレート
【図１】
2007303089.tif 000003
【図２】
2007303089.tif 000004
【図３】
2007303089.tif 000005
【図４】
2007303089.tif 000006
【図５】
2007303089.tif 000007
【図６】
2007303089.tif 000008
【図７】
2007303089.tif 000009
【図８】
2007303089.tif 000010
【図９】
2007303089.tif 000011
【図１０】
2007303089.tif 000012
【図１１】
2007303089.tif 000013
【図１２】
2007303089.tif 000014
【図１３】
2007303089.tif 000015
【図１４】
2007303089.tif 000016
【図１５】
2007303089.tif 000017
【図１６】
2007303089.tif 000018
【図１７】
2007303089.tif 000019
【図１８】
2007303089.tif 000020
【図１９】
2007303089.tif 000021
【図２０】
2007303089.tif 000022
【図２１】
2007303089.tif 000023
【図２２】
2007303089.tif 000024
【図２３】
2007303089.tif 000025
【図２４】
2007303089.tif 000026
【図２５】
2007303089.tif 000027
【図２６】
2007303089.tif 000028
【図２７】
2007303089.tif 000029
【図２８】
2007303089.tif 000030
【図２９】
2007303089.tif 000031
【図３０】
2007303089.tif 000032
【図３１】
2007303089.tif 000033
【図３２】
2007303089.tif 000034
【図３３】
2007303089.tif 000035
【図３４】
2007303089.tif 000036
【図３５】
2007303089.tif 000037
【図３６】
2007303089.tif 000038
【図３７】
2007303089.tif 000039
【図３８】
2007303089.tif 000040
【図３９】
2007303089.tif 000041
【図４０】
2007303089.tif 000042
【図４１】
2007303089.tif 000043
【図４２】
2007303089.tif 000044
【図４３】
2007303089.tif 000045
【図４４】
2007303089.tif 000046
【図４５】
2007303089.tif 000047
【図４６】
2007303089.tif 000048
【図４７】
2007303089.tif 000049
【図４８】
2007303089.tif 000050
【図４９】
2007303089.tif 000051
【図５０】
2007303089.tif 000052
【図５１】
2007303089.tif 000053
【図５２】
2007303089.tif 000054
【図５３】
2007303089.tif 000055
【図５４】
2007303089.tif 000056
【図５５】
2007303089.tif 000057
【図５６】
2007303089.tif 000058
【図５７】
2007303089.tif 000059
【図５８】
2007303089.tif 000060
【図５９】
2007303089.tif 000061
【図６０】
2007303089.tif 000062
【図６１】
2007303089.tif 000063
【図６２】
2007303089.tif 000064
【図６３】
2007303089.tif 000065
【図６４】
2007303089.tif 000066
【図６５】
2007303089.tif 000067
【図６６】
2007303089.tif 000068
【図６７】
2007303089.tif 000069
【図６８】
2007303089.tif 000070
【図６９】
2007303089.tif 000071
【図７０】
2007303089.tif 000072
【図７１】
2007303089.tif 000073
【図７２】
2007303089.tif 000074
【図７３】
2007303089.tif 000075
【図７４】
2007303089.tif 000076
【図７５】
2007303089.tif 000077
【図７６】
2007303089.tif 000078
【図７７】
2007303089.tif 000079
【図７８】
2007303089.tif 000080
【図７９】
2007303089.tif 000081
【図８０】
2007303089.tif 000082
【図８１】
2007303089.tif 000083
【図８２】
2007303089.tif 000084
【図８３】
2007303089.tif 000085
【図８４】
2007303089.tif 000086
【図８５】
2007303089.tif 000087
【図８６】
2007303089.tif 000088
【図８７】
2007303089.tif 000089
【図８８】
2007303089.tif 000090
【図８９】
2007303089.tif 000091
【図９０】
2007303089.tif 000092
【図９１】
2007303089.tif 000093
【図９２】
2007303089.tif 000094
【図９３】
2007303089.tif 000095
【図９４】
2007303089.tif 000096
【図９５】
2007303089.tif 000097
【図９６】
2007303089.tif 000098
【図９７】
2007303089.tif 000099
【図９８】
2007303089.tif 000100
【図９９】
2007303089.tif 000101
【図１００】
2007303089.tif 000102
【図１０１】
2007303089.tif 000103
【図１０２】
2007303089.tif 000104
【図１０３】
2007303089.tif 000105
【図１０４】
2007303089.tif 000106
【図１０５】
2007303089.tif 000107
【図１０６】
2007303089.tif 000108
【図１０７】
2007303089.tif 000109
【図１０８】
2007303089.tif 000110
【図１０９】
2007303089.tif 000111
【図１１０】
2007303089.tif 000112
【図１１１】
2007303089.tif 000113
【図１１２】
2007303089.tif 000114
【図１１３】
2007303089.tif 000115
【図１１４】
2007303089.tif 000116
【図１１５】
2007303089.tif 000117
【図１１６】
2007303089.tif 000118
【図１１７】
2007303089.tif 000119
【図１１８】
2007303089.tif 000120
【図１１９】
2007303089.tif 000121
【図１２０】
2007303089.tif 000122
【図１２１】
2007303089.tif 000123
【図１２２】
2007303089.tif 000124
【図１２３】
2007303089.tif 000125
【図１２４】
2007303089.tif 000126
【図１２５】
2007303089.tif 000127
【図１２６】
2007303089.tif 000128
【図１２７】
2007303089.tif 000129
【図１２８】
2007303089.tif 000130
【図１２９】
2007303089.tif 000131
【図１３０】
2007303089.tif 000132
【図１３１】
2007303089.tif 000133
【図１３２】
2007303089.tif 000134
【図１３３】
2007303089.tif 000135
【図１３４】
2007303089.tif 000136
【図１３５】
2007303089.tif 000137
【図１３６】
2007303089.tif 000138
【図１３７】
2007303089.tif 000139
【図１３８】
2007303089.tif 000140
【図１３９】
2007303089.tif 000141
【図１４０】
2007303089.tif 000142
【図１４１】
2007303089.tif 000143
【図１４２】
2007303089.tif 000144
【図１４３】
2007303089.tif 000145
【図１４４】
2007303089.tif 000146
【図１４５】
2007303089.tif 000147
【図１４６】
2007303089.tif 000148
【図１４７】
2007303089.tif 000149
【図１４８】
2007303089.tif 000150
【図１４９】
2007303089.tif 000151
【図１５０】
2007303089.tif 000152
【図１５１】
2007303089.tif 000153
【図１５２】
2007303089.tif 000154
【図１５３】
2007303089.tif 000155
【図１５４】
2007303089.tif 000156
【図１５５】
2007303089.tif 000157
【図１５６】
2007303089.tif 000158
【図１５７】
2007303089.tif 000159
【図１５８】
2007303089.tif 000160
【図１５９】
2007303089.tif 000161
【図１６０】
2007303089.tif 000162
【図１６１】
2007303089.tif 000163
【図１６２】
2007303089.tif 000164
【図１６３】
2007303089.tif 000165
【図１６４】
2007303089.tif 000166
【図１６５】
2007303089.tif 000167
【図１６６】
2007303089.tif 000168
【図１６７】
2007303089.tif 000169
【図１６８】
2007303089.tif 000170
【図１６９】
2007303089.tif 000171
【図１７０】
2007303089.tif 000172
【図１７１】
2007303089.tif 000173
【図１７２】
2007303089.tif 000174
【図１７３】
2007303089.tif 000175
【図１７４】
2007303089.tif 000176
【図１７５】
2007303089.tif 000177
【図１７６】
2007303089.tif 000178
【図１７７】
2007303089.tif 000179
【図１７８】
2007303089.tif 000180
【図１７９】
2007303089.tif 000181
【図１８０】
2007303089.tif 000182
【図１８１】
2007303089.tif 000183
【図１８２】
2007303089.tif 000184
【図１８３】
2007303089.tif 000185
【図１８４】
2007303089.tif 000186
【図１８５】
2007303089.tif 000187
【図１８６】
2007303089.tif 000188